(57)【要約】【課題】携帯機器において、表示画面の多画面化により１人の操作者が使用する場合の利便性を高めることができ、しかも、複数の操作者の各々が自分専用の表示画面で共通のあるいは関連する表示内容を見ながら、その表示内容に対する操作を、自分専用の操作部により独立して行うことを可能とする。【解決手段】携帯機器１０において、画像データを生成して画像を表示する第２表示画面機器３０と、この主表示画面機器３０で生成された画像データに基づいて画像を表示する１以上の第１表示画面機器２０とを備え、第２表示画面機器３０と第１表示画面機器２０とを分離可能とし、これらを分離した状態では、第２表示画面機器で生成した画像データを無線回線Ｅにより第１表示画面機器２０に送信し、第１表示画面機器２０の操作部２０３で発生した制御信号を無線回線Ｅにより第２表示画面機器３０に送信するようにした。【選択図】図１
2014086747.tif 000002
【特許請求の範囲】
【請求項１】
画像データを生成し、生成した画像データに基づいて画像を表示する主表示画面機器と、該主表示画面機器で生成された画像データに基づいて画像を表示する１以上の補助表示画面機器とを有し、該主表示画面機器を本体側機器として該補助表示画面機器を該本体側機器から分離側機器として分離可能に構成した携帯機器であって、
該主表示画面機器は、該画像データとして１以上の画像系列の各画像を表示するための画像データを生成する画像生成部を有し、
該補助表示画面機器は、操作者の操作に応じた分離側制御信号を生成する分離側操作部を有し、
該主表示画面機器と該補助表示画面機器とが分離されたとき、該主表示画面機器で生成した、該補助表示画面機器で用いる分離側画像データを該補助表示画面機器に無線送信し、該補助表示画面機器で生成された分離側制御信号を該主表示画面機器に無線送信する、携帯機器。
【請求項２】
請求項１に記載の携帯機器において、
前記画像生成部は、前記画像データとともに、前記１以上の画像系列の各画像に対応させて、表示すべきタイミングに対応した数値を有する識別子を生成し、前記補助表示画面機器へ送信する分離側画像データに識別子を付与して分離側識別画像データを生成するように構成されており、
前記主表示画面機器は、
前記操作者の操作に応じた本体側制御信号を生成する本体側操作部と、
該主表示画面機器で表示する本体側画像系列の各画像に対応する識別子に該本体側制御信号を関連付けて本体側識別制御データを生成する本体側関連付部とを有し、
該補助表示画面機器は、
該分離側識別画像データの識別子に前記分離側制御信号を関連付けて分離側識別制御データを生成する分離側関連付部を有し、
該本体側識別制御データの本体側制御信号と該分離側識別制御データの分離側制御信号とを、これらの制御信号に関連付けられている識別子に基づいて同期させて該画像生成部での画像データの生成に反映させる、携帯機器。
【請求項３】
請求項２に記載の携帯機器において、
前記補助表示画面機器と前記主表示画面機器とを接続するコネクタ部を備え、
該補助表示画面機器は、
該主表示画面機器から無線送信された前記分離側識別画像データを受信する無線画像受信部と、
該主表示画面機器から該コネクタ部を介して有線で送信された分離側画像データと、該無線画像受信部で受信した該分離側識別画像データに含まれる分離側画像データとの一方を選択するセレクタ部と、
該セレクタで選択された画像データに基づいて画像を表示する分離側画像表示部とを備え、
該補助表示画面機器と該主表示画面機器とが接続されている状態では、
該セレクタ部は該コネクタ部からの分離側画像データを選択して該分離側画像表示部に供給し、
該補助表示画面機器と該主表示画面機器とが分離されている状態では、
該セレクタ部は該無線画像受信部で受信した分離側識別画像データに含まれる分離側画像データを選択して該分離側画像表示部に供給する、携帯機器。
【請求項４】
請求項２に記載の携帯機器において、
前記第１表示画面機器と前記第２表示画面機器とを接続するコネクタ部を備え、
該主表示画面機器は、
該補助表示画面機器から無線送信された前記分離側識別制御データを受信する無線データ受信部を有し、
該補助表示画面機器と該主表示画面機器とが接続されている状態では、
該補助表示画面機器から該コネクタ部を介して有線で送信された前記分離側制御信号が前記画像生成部に供給され、
該補助表示画面機器と該主表示画面機器とが分離されている状態では、
該無線データ受信部で受信した分離側識別制御データに含まれる分離側制御信号が該画像生成部に供給される、携帯機器。
【請求項５】
画像データを生成し、生成した画像データに基づいて画像を表示する主表示画面機器と、該主表示画面機器で生成された画像データに基づいて画像を表示する補助表示画面機器とを有し、該主表示画面機器を本体側機器として該補助表示画面機器を該本体側機器から分離側機器として分離可能に構成した携帯機器を制御する制御方法であって、
該主表示画面機器が、該画像データとして１以上の画像系列の各画像を表示するための画像データを生成するステップと、
該補助表示画面機器が、操作者の操作に応じた分離側制御信号を生成するステップと、
該主表示画面機器と該補助表示画面機器とが分離されているか否かを判定するステップと
を含み、
該主表示画面機器と該補助表示画面機器とが分離されていると判定されたとき、該主表示画面機器が、該主表示画面機器で生成した、該分離側機器で表示されるべき分離側画像データを該補助表示画面機器に無線送信し、該補助表示画面機器が、該補助表示画面機器で生成された分離側制御信号を該主表示画面機器に無線送信する、
携帯機器の制御方法。
【請求項６】
請求項１から請求項４までのいずれか１項に記載の携帯機器を動作させる制御プログラムであって、
前記主表示画面機器の動作をコンピュータにより実行するための本体側プログラムと、
前記補助表示画面機器の動作をコンピュータにより実行するための分離側プログラムとを含む、制御プログラム。
【請求項７】
請求項６に記載の制御プログラムを構成する本体側プログラムを記録したコンピュータ読み取り可能なプログラム記録媒体。
【請求項８】
請求項６に記載の制御プログラムを構成する分離側プログラムを記録したコンピュータ読み取り可能なプログラム記録媒体。
【発明の詳細な説明】
【技術分野】
【０００１】
本発明は、携帯機器、携帯機器の制御方法、制御プログラム、及びプログラム記録媒体に関し、画像を表示する複数の表示画面部を有し、少なくとも１つの表示画面部をその操作部とともに表示画面機器として他の表示画面部から分離可能に構成した携帯機器、この携帯機器における複数の表示画面部での表示を制御する携帯機器の制御方法、この携帯機器の制御方法をコンピュータにより実行するための制御プログラム、この制御プログラムを記録したコンピュータ読み取り可能な記録媒体に関するものである。
【背景技術】
【０００２】
従来からゲーム機などの携帯機器には複数の表示画面を備えたものがあるが、携帯機器におけるこのような複数画面化は、基本的に携帯機器の使用者の利便性を高めるものである。
【０００３】
このような携帯機器は使用者専用の端末であるとしても、使用者は自分の探しだした情報をこの携帯機器に表示して他人と一緒に見たり、この携帯機器で他人と一緒に情報を調べたり、あるいはこの携帯機器に表示した情報を用いて他人と一緒に遊んだりしたいといった状況は必ず出てくる。
【０００４】
例えば、使用者がゲーム機を用いて他人と一緒に遊びたい場合には、使用者はゲーム機そのものを遊び相手に渡すか、お互いの顔を近づけてゲーム機の画面をのぞき込んでゲーム機を操作せざるを得ず、ましてや１人が画面の操作をしながらであれば、１つのゲーム機の画面を２人で見るのはよりいっそう不便であり、画面を見せたい相手側が画面の操作をしたい場合に至っては、お互いにゲーム機の画面を見ながら操作するのはとてもできたものではない。ましてや１つのゲーム機で一緒にゲームをすることは到底できない。
【０００５】
このように従来の複数の表示画面を備えた携帯機器は、複数人で使用する場合の利便性を考慮したものではなく、せっかくの複数の画面による表示機能を生かせていない。
【０００６】
ところで、特許文献１には、このような複数人で使用する場合の利便性を考慮した携帯機器として携帯電話機が開示されており、この特許文献１に開示の携帯電話機は、複数の表示画面の一つには画像を相手方が見易い向きに表示可能に構成されている。
【０００７】
図８は、この特許文献１に開示の携帯電話機を説明する図である。
【０００８】
この携帯電話機１ａは、第１キャビネット１と、第２キャビネット２と、これら第１、第２キャビネット１、２を保持する保持体３とを有し、第１キャビネット１の上面が第１表示画面１１となっており、第２キャビネット２の上面が第２表示画面２１となっている。この携帯電話機１ａでは、第１キャビネット１を第２キャビネット２の上に重ねた１画面状態（図８（ａ））と、第２キャビネット２を第１キャビネット１の下側から引き出した２画面状態（図８（ｂ）及び図８（ｃ））との間でキャビネットの配置を切り替え可能となっている。
【０００９】
この携帯電話機１ａの制御部（ＣＰＵ）では、第１キャビネット１と第２キャビネット２との配置が２画面状態になったとき、予めユーザによって「分割画面表示」の設定がされているか否かを判断し、「分割画面表示」の設定がされていると判断した場合、第１表示画面１１には、図８（ｂ）に示すように、１画面状態で第１表示画面１１に表示されていた画像が天地逆さまになって表示され、第２表示画面２１には、１画面状態と同じ画像が通常の状態（天地逆さまでない状態）で表示される。なお、２画面状態では、１画面状態で第１表示画面１１の右端に表示されるスクロール操作部Ｍ５が第２表示画面２１の右端に表示される。
【００１０】
一方、第１キャビネット１と第２キャビネット２との配置が２画面状態になったとき、この携帯電話機１ａの制御部（ＣＰＵ）によって、「分割画面表示」の設定がされていないと判断されると、第１表示画面１１には、１画面状態のときと同じメール文章が表示され、第２表示画面２１には、第１表示画面１１に表示されているメール文章に続くメール文章が表示される。このとき、スクロール操作部Ｍ５は、第２表示画面２１の右端に表示される。
【先行技術文献】
【特許文献】
【００１１】
【特許文献１】特開２０１１−１５９３１０号公報
【発明の概要】
【発明が解決しようとする課題】
【００１２】
このように特許文献１に開示の携帯電話機では、表示状態を２画面状態としたとき、一方の画面には画像を相手方が見易い向きに表示するので、情報を見せたい相手が情報を見るのにそれ程不便はないが、使用者とそれ以外の人がお互いに１つの携帯電話機を操作しながらその見ている表示画像の変更等の処理を独自に行いたいという状況では、携帯電話機の手の平程度のサイズの筐体に取り付けられている操作ボタンを複数人が操作することとなり、１人が操作中は、他の者は操作するのは困難であり、このような状況での利便性は依然として改善されていない。
【００１３】
本発明は、このような問題点を解決するためになされたものであり、表示画面の多画面化により１人の操作者が使用する場合の利便性を高めることができ、しかも、複数の操作者の各々が自分専用の表示画面で共通のあるいは関連する表示内容を見ながら、その表示内容に対する操作を、自分専用の操作部により独立して行うことができる携帯機器、この携帯機器における複数の表示画面部での画像表示を制御する携帯機器の制御方法、この携帯機器の制御方法をコンピュータにより実行するための制御プログラム、この制御プログラムを記録したコンピュータ読み取り可能な記録媒体を得ることを目的とする。
【課題を解決するための手段】
【００１４】
本発明に係る携帯機器は、画像データを生成し、生成した画像データに基づいて画像を表示する主表示画面機器と、該主表示画面機器で生成された画像データに基づいて画像を表示する１以上の補助表示画面機器とを有し、該主表示画面機器を本体側機器として該補助表示画面機器を該本体側機器から分離側機器として分離可能に構成した携帯機器であって、該主表示画面機器は、該画像データとして１以上の画像系列の各画像を表示するための画像データを生成する画像生成部を有し、該補助表示画面機器は、操作者の操作に応じた分離側制御信号を生成する分離側操作部を有し、該主表示画面機器と該補助表示画面機器とが分離されたとき、該主表示画面機器で生成した、該補助表示画面機器で用いる分離側画像データを該補助表示画面機器に無線送信し、該補助表示画面機器で生成された分離側制御信号を該主表示画面機器に無線送信するものであり、そのことにより上記目的が達成される。
【００１５】
本発明は、上記携帯機器において、前記画像生成部は、前記画像データとともに、前記１以上の画像系列の各画像に対応させて、表示すべきタイミングに対応した数値を有する識別子を生成し、前記補助表示画面機器へ送信する分離側画像データに識別子を付与して分離側識別画像データを生成するように構成されており、前記主表示画面機器は、前記操作者の操作に応じた本体側制御信号を生成する本体側操作部と、該主表示画面機器で表示する本体側画像系列の各画像に対応する識別子に該本体側制御信号を関連付けて本体側識別制御データを生成する本体側関連付部とを有し、該補助表示画面機器は、該分離側識別画像データの識別子に前記分離側制御信号を関連付けて分離側識別制御データを生成する分離側関連付部を有し、該本体側識別制御データの本体側制御信号と該分離側識別制御データの分離側制御信号とを、これらの制御信号に関連付けられている識別子に基づいて同期させて該画像生成部での画像データの生成に反映させることが好ましい。
【００１６】
本発明は、上記携帯機器において、前記補助表示画面機器と前記主表示画面機器とを接続するコネクタ部を備え、該補助表示画面機器は、該主表示画面機器から無線送信された前記分離側識別画像データを受信する無線画像受信部と、該主表示画面機器から該コネクタ部を介して有線で送信された分離側画像データと、該無線画像受信部で受信した該分離側識別画像データに含まれる分離側画像データとの一方を選択するセレクタ部と、該セレクタで選択された画像データに基づいて画像を表示する分離側画像表示部とを備え、該補助表示画面機器と該主表示画面機器とが接続されている状態では、該セレクタ部は該コネクタ部からの分離側画像データを選択して該分離側画像表示部に供給し、該補助表示画面機器と該主表示画面機器とが分離されている状態では、該セレクタ部は該無線画像受信部で受信した分離側識別画像データに含まれる分離側画像データを選択して該分離側画像表示部に供給することが好ましい。
【００１７】
本発明は、上記携帯機器において、前記第１表示画面機器と前記第２表示画面機器とを接続するコネクタ部を備え、該主表示画面機器は、該補助表示画面機器から無線送信された前記分離側識別制御データを受信する無線データ受信部を有し、該補助表示画面機器と該主表示画面機器とが接続されている状態では、該補助表示画面機器から該コネクタ部を介して有線で送信された前記分離側制御信号が前記画像生成部に供給され、該補助表示画面機器と該主表示画面機器とが分離されている状態では、該無線データ受信部で受信した分離側識別制御データに含まれる分離側制御信号が該画像生成部に供給されることが好ましい。
【００１８】
本発明に係る携帯機器の制御方法は、画像データを生成し、生成した画像データに基づいて画像を表示する主表示画面機器と、該主表示画面機器で生成された画像データに基づいて画像を表示する補助表示画面機器とを有し、該主表示画面機器を本体側機器として該補助表示画面機器を該本体側機器から分離側機器として分離可能に構成した携帯機器を制御する制御方法であって、該主表示画面機器が、該画像データとして１以上の画像系列の各画像を表示するための画像データを生成するステップと、該補助表示画面機器が、操作者の操作に応じた分離側制御信号を生成するステップと、該主表示画面機器と該補助表示画面機器とが分離されているか否かを判定するステップとを含み、該主表示画面機器と該補助表示画面機器とが分離されていると判定されたとき、該主表示画面機器が、該主表示画面機器で生成した、該分離側機器で表示されるべき分離側画像データを該補助表示画面機器に無線送信し、該補助表示画面機器が、該補助表示画面機器で生成された分離側制御信号を該主表示画面機器に無線送信するものであり、そのことにより上記目的が達成される。
【００１９】
本発明に係る制御プログラムは、上述した本発明に係る携帯機器を動作させる制御プログラムであって、前記主表示画面機器の動作をコンピュータにより実行するための本体側プログラムと、前記補助表示画面機器の動作をコンピュータにより実行するための分離側プログラムとを含むものであり、そのことにより上記目的が達成される。
【００２０】
本発明に係るコンピュータ読み取り可能なプログラム記録媒体は、上述した本発明に係る制御プログラムを構成する本体側プログラムを記録したものであり、そのことにより上記目的が達成される。
【００２１】
本発明に係るコンピュータ読み取り可能なプログラム記録媒体は、上述した本発明に係る制御プログラムを構成する分離側プログラムを記録したものであり、そのことにより上記目的が達成される。
【００２２】
さらに、本願には以下の発明が含まれている。
【００２３】
本発明は、上記携帯機器において、前記主表示画面機器と前記補助表示画面機器とが切り離された状態であるか接続された状態であるかを判定して判定結果を示す接続判定信号を出力する接続判定部を備え、該補助表示画面機器は、該主表示画面機器で生成した画像データに基づいて画像を表示する分離側画像表示部と、該主表示画面機器から無線送信された前記分離側識別画像データを受信し、該受信した分離側識別画像データに含まれる画像データを該分離側画像表示部に供給し、該受信した分離側識別画像データに含まれる、該画像データに関連付けられている識別子を前記分離側関連付部に供給する無線画像受信部とを有し、前記分離側関連付部は、前記分離側操作部で生成された分離側制御信号と、該受信した分離側識別画像データの識別子とを対応付けて前記分離側識別制御データとして無線送信するように構成されており、前記主表示画面機器は、前記画像生成部で生成した本体側画像データに基づいて画像を表示する本体側画像表示部と、該画像生成部で生成した分離側画像データ及び該分離側画像データに関連付けられている識別子とを含む分離側識別画像データを無線送信する無線画像送信部と、前記本体側制御信号と、該本体側画像データに関連付けられている識別子とを対応付けて本体側識別制御データとして保存する、前記本体側関連付部としてのバッファ部と、該分離側関連付部から送信された分離側識別制御データを受信する無線データ受信部と、該無線データ受信部にて受信した該分離側識別制御データの識別子と該バッファ部に格納されている本体側識別制御データの識別子とを比較し、該分離側識別制御データの制御信号と、識別子の数値が該分離側識別制御データと同じである本体側識別制御データの制御信号とを１組にして同期制御データとして該画像生成部へ送る比較部とを含み、該画像生成部は、作成した１以上の画像系列における、該補助表示画面機器での表示に用いる分割側画像系列の画像データをこの画像データに識別子を付けて分離側識別画像データとして該無線画像送信部へ送り、該無線画像送信部は、該分離側識別画像データを該無線画像受信部へ送り、該無線画像受信部は、該分離側識別画像データにおける画像データを該分離側画像表示部へ送り、該分離側識別画像データにおける識別子を該分離側関連付部へ送り、前記分離側操作部は操作者による操作により発生させた分離側制御信号を該分離側関連付部に送り、該分離側関連付部は、受け取った識別子と受け取った分離側制御信号とを対応付けて分離側識別制御データとして該無線データ受信部へ送り、該無線データ受信部は、受信した分離側識別制御データを該比較部へ送り、該本体側操作部は操作者により発生させた本体側制御信号を該本体側関連付部に送り、該本体側関連付部は、該本体側制御信号と、該画像生成部から受け取った識別子とを関連付けて本体側識別制御データとして格納し、該比較部は、該補助表示画面機器から受信した該分離側識別制御データの識別子と同じ数値の識別子を持つ本体側識別制御データを該本体側関連付部から取り出し、取り出した本体側識別制御データに含まれる本体側制御信号と、受信した分離側識別制御データに含まれる分離側制御信号とを１組にして同期制御データとして該画像生成部へと送り、該画像制御部は、受け取った同期制御データにおける本体側制御信号及び該分離側制御信号のそれぞれが示す操作内容に従って次の画像の画像データを生成することが好ましい。
【００２４】
本発明は、上記携帯機器において、前記補助表示画面機器と前記主表示画面機器とを接続するコネクタ部を含み、該補助表示画面機器は、前記無線画像受信部で受信した分離側識別画像データに含まれる画像データと、前記画像生成部から該コネクタ部を介して該補助表示画面機器に供給される画像データとを選択して前記分離側画像表示部に供給するセレクタ部を含み、前記接続判定部により該補助表示画面機器と前記主表示画面機器とが接続されていると判断した場合は、該セレクタ部は、該画像生成部から該コネクタ部を介して該補助表示画面機器に供給される画像データを選択し、選択した画像データを前記分離側画像表示部へ有線で送信することが好ましい。
【００２５】
本発明は、前記無線画像送信部および前記無線データ送信部は、それぞれの送信出力を、前記接続判定部にて前記補助表示画面機器と前記主表示画面機器とが接続されていると判断されたとき、該補助表示画面機器が該主表示画面機器から離されている場合よりも低下させることが好ましい。
【００２６】
本発明は、上記携帯機器において、前記補助表示画面機器と前記主表示画面機器とを接続するコネクタ部を含み、該コネクタ部は、該補助表示画面機器と該主表示画面機器が接続されている状態では、前記分離側操作部からの分離側制御信号が該コネクタ部を介して前記比較部に供給されるよう構成されており、前記本体側関連付部は、該補助表示画面機器と該主表示画面機器が接続されている状態では、前記本体側操作部からの制御信号をそのまま該比較部へ送るよう構成されており、前記接続判定部により該補助表示画面機器と該主表示画面機器が接続されていると判断されたとき、該比較部は、該コネクタ部からの分離側制御信号と該本体側関連付部からの本体側制御信号とを前記同期制御データとして該画像制御部へ送ることが好ましい。
【００２７】
本発明は、上記携帯機器において、前記無線データ受信部は前記無線データ送信部から無線送信された分離側識別制御データを受け取ったとき、該分離側識別制御データを受け取ったことを示す確認信号を該無線データ送信部へ無線送信し、前記無線データ送信部は該確認信号を受け取らなかったときは、再び該分離側識別制御データを送信することが好ましい。
【００２８】
本発明は、上記携帯機器において、前記無線データ送信部は、前記無線画像受信部から新たな識別子を受け取る度に、前記分離側操作部からの分離側制御信号と該無線画像受信部からの識別子とを分離側識別制御データとして前記無線データ受信部へ送信し、該分離側識別制御データの送信中に新たな識別子を該無線画像受信部から受け取った時は、該分離側識別制御データの送信を中断し、その時点で送信していた分離側識別制御データを破棄し、新たな識別子とその時点で該分離側操作部から受け取っている分離側制御信号を新たな分離側識別制御データとして送信することが好ましい。
【００２９】
本発明は、上記携帯機器において、前記比較部は、内部カウンタを含み、前記無線データ受信部から前記分離側識別制御データを受け取ると、該内部カウンタをリセットし、前記本体側関連付部が新たな識別子を受けたとき該内部カウンタの値を１つ増大させるよう構成されており、該内部カウンタのカウント値が決められた上限カウント値を超えたとき、該比較部は前記分離側表示画面機器からの分離側識別制御データが受信できてないことを示す警告信号を該画像生成部へ送ることが好ましい。
【００３０】
本発明は、上記携帯機器において、前記本体側関連付部は、前記画像生成部から識別子を受け取る毎に前記本体側操作部からの制御信号と該識別子とを関連付けて本体側識別制御データとして保存するメモリを含み、前記比較部が前記分割側制御信号と前記本体側制御信号を該画像生成部へ送信する際に、この時の識別子及びそれよりも以前の識別子を持った、本体側識別制御データを該メモリから削除し、該本体側識別制御データの保存量が該メモリの容量を上回ったときは一番古い本体側識別制御データを削除することが好ましい。
【００３１】
本発明は、上記携帯機器において、前記比較部が前記無線データ受信部から受け取った分離側識別制御データと識別子の数値が同じ本体側識別制御データが前記本体側関連付部のメモリに保存されていない時は、該比較部は、前記分離側制御信号及び前記本体側制御信号を前記画像生成部へ送る動作に代えて、受信した分離側識別制御データと識別子の数値が同じ本体側識別制御データが見つからなかったことを示す警告信号を該画像生成部に送る動作を行うことが好ましい。
【００３２】
本発明は、上記携帯機器において、前記無線画像受信部は、画像データを保存する受信部メモリと、受信部内部カウンタとを含み、該無線画像受信部は、前記分離側識別画像データを受信し、該分離側識別画像データに含まれる分離側画像データを前記分離側画像表示部へ送ると共に該分離側画像データを該受信部メモリに保存し、該無線画像受信部は、前記無線画像送信部から送信された分離側識別画像データを受け取ると、該受信部内部カウンタをスタートさせ、該無線画像送信部から送信された次の分離側識別画像データを受け取る前に該受信部内部カウンタが決められたカウント数を超えたとき、該無線画像受信部は、該受信部メモリに格納されている分離側画像データを該分離側画面表示部に送ることが好ましい。
【００３３】
本発明は、上記携帯機器において、前記無線画像受信部は受信部内部カウンタを含み、該無線画像受信部は前記無線画像送信部から送信された分離側識別画像データを受け取ると、該受信部内部カウンタをスタートさせ、該無線画像送信部から送信された分離側識別画像データを受け取る前に、該受信部内部カウンタが決められたカウント数を超えたとき、該無線画像受信部は、該無線画像送信部から分離側識別画像データを受信できてないことを示す受信警告信号を該分割側画面表示部に送り、該分割側画面表示部は該受信警告信号を受け取ると、画像表示動作を停止することが好ましい。
【００３４】
本発明は、上記携帯機器において、前記接続判定部が前記補助表示画面機器と前記主表示画面機器が接続されていると判断したとき、前記無線画像送信部及び前記無線画像受信部は、その動作を停止することが好ましい。
【００３５】
本発明は、上記携帯機器において、前記接続判定部が前記補助表示画面機器と前記主表示画面機器とが接続されていると判断したときは、前記分離側操作部、前記無線データ送信部、及び前記無線データ受信部はその動作を停止し、前記本体側関連付部は、前記本体側操作部からの本体側制御信号をそのまま前記比較部に送り、前記比較部は該本体側制御信号をそのまま前記画像生成部へと送ることが好ましい。
【００３６】
本発明は、上記携帯機器において、前記接続判定部が前記補助表示画面機器と前記主表示画面機器とが接続されていると判断したときは、前記分離側操作部、前記無線データ送信部、及び前記無線データ受信部はその機能を停止することが好ましい。
【発明の効果】
【００３７】
以上のように、本発明によれば、表示画面の多画面化により１人の操作者が使用する場合の利便性を高めることができ、しかも、複数の操作者の各々が自分専用の表示画面で共通のあるいは関連する表示内容を見ながら、その表示内容に対する操作を、自分専用の操作部により独立して行うことができる携帯機器、この携帯機器における複数の表示画面部での画像表示を制御する携帯機器の制御方法、この携帯機器の制御方法をコンピュータにより実行するための制御プログラム、この制御プログラムを記録したコンピュータ読み取り可能な記録媒体を実現することができる。
【図面の簡単な説明】
【００３８】
【図１】図１は、本発明の実施形態１による携帯機器の外観を示す図であり、図１（ａ）は、この携帯機器を構成する本体側機器である第２表示画面機器（主表示画面機器）と、本体側機器から分離可能な分離側機器である第１表示画面機器（補助表示画面機器）とが結合している状態を示し、図１（ｂ）は、第２表示画面機器から第１表示画面機器を切り離した状態を示している。
【図２】図２は、本発明の実施形態１による携帯機器の構成を示すブロック図である。
【図３】図３は、本発明の実施形態１による携帯機器の動作を説明する図であり、２つの画像系列の各フレームの画像が表示されるタイミングとボタン操作のタイミングとを示している。
【図４】図４は、本発明の実施形態２による携帯機器の構成を示すブロック図である。
【図５】図５は、本発明の実施形態３による携帯機器の構成を示すブロック図である。
【図６】図６は、本発明の実施形態４による携帯機器の外観を示す図であり、図４（ａ）は、この携帯機器を構成する本体側機器である第２表示画面機器（主表示画面機器）と、本体側機器から分離可能な第１及び第３表示画面機器（補助表示画面機器）とが結合している状態を示し、図１（ｂ）は、第２表示画面機器から第１及び第３表示画面機器を分離した状態を示している。
【図７】図７は、本発明の実施形態４による携帯機器の構成を示すブロック図である。
【図８】図８は、特許文献１に開示の従来の携帯電話機を説明する図である。
【発明を実施するための形態】
【００３９】
まず、本発明の基本原理について説明する。
【００４０】
本発明は、携帯機器を構成する主表示画面機器を本体側機器とし、該携帯機器を構成する補助表示画面機器を分離側機器としてこれらの表示画面機器を分離し、主表示画面機器で生成した画像データを無線送信により補助表示画面機器に供給し、補助表示画面機器の操作部で発生した制御信号を無線送信により主表示画面機器に送信する点を本質的特徴としている。
【００４１】
このような構成の本発明では、表示画面の多画面化により１人の操作者が使用する場合の利便性を高めることができるだけでなく、複数の操作者の各々が自分専用の表示画面で共通のあるいは関連する表示内容を見ながら、その表示内容に対する操作を、自分専用の操作部により独立して行うことができる。
【００４２】
また、本発明においては、主表示画面機器の画像生成部では、画像データとともに、１以上の画像系列の各画像に対応させて、表示すべきタイミングに対応した数値を有する識別子を生成し、本体側機器から分離された補助表示画面機器へ送信する分離側画像データには識別子を付与して分離側識別画像データを生成し、この分離側識別画像データを補助表示画面機器へ送信し、補助表示画面機器では、操作者が操作した画像の識別子をこの操作により発生した分離側制御信号に付与して分離側識別制御データとして主表示画面機器に無線送信するので、主表示画面機器では、分離側識別制御データに含まれる識別子から、補助表示画面機器での操作者の操作がどのフレームの画像に対する操作であるかを判別でき、また、主表示画面機器では、操作者が操作した画像がどのフレームの画像であるかを識別子から判別でき、補助表示画面機器での表示画像に対する操作と、主表示画面機器での表示画像に対する操作とを、主表示画面機器での画像データの生成に同期させて反映することができる。
【００４３】
このように、複数の画面表示部の各々を、これに対応する操作部とともに表示画面機器として分離することにより、操作者が多画面化された携帯機器を１人で複数の画面を見ながらゲームを楽しむことができるだけでなく、その画面の数と同じ人数で独立してゲームを操作することができ、しかも分離した各表示画面機器での操作のタイミングを、操作した画像に対応付けて公平に画像に反映することができ、本発明の多画面化した携帯機器は、一緒にゲームをする場合に、お互いの操作に同期がとれないとどちらかが有利に働くといった点をも考慮したものとなっている。
【００４４】
以下、本発明の実施形態について図面を用いて詳細に説明する。
【００４５】
（実施形態１）
図１は、本発明の実施形態１による携帯機器の外観を示す図であり、図１（ａ）は、この携帯機器の主表示画面機器（本体側機器）と補助表示画面機器（分離側機器）とが結合している状態を示し、図１（ｂ）は、主表示画面機器と補助表示画面機器とを切り離した状態を示している。図２は、この実施形態１による携帯機器の構成を示すブロック図である。
【００４６】
この実施形態１の携帯機器１０は、画像データを生成し、生成した画像データに基づいて画像Ｂを表示する主表示画面機器（以下、第２表示画面機器という。）３０と、この主表示画面機器３０で生成された画像データに基づいて画像Ａを表示する補助表示画面機器（以下、第１表示画面機器という。）２０と、第１表示画面機器２０が第２表示画面機器３０から分離されて分離側機器として動作する状態と、第１表示画面機器２０が第２表示画面機器３０と接続されており、携帯機器１０が多画面の機器として動作する状態であるかを判定して判定結果を示す判定信号を出力するスイッチ部（接続判定部）４００とを有し、第２表示画面機器３０を本体側機器として第１表示画面機器２０を本体側機器から分離側機器として分離可能に構成したものである。ここでは、携帯機器１０の一例として携帯ゲーム機を挙げており、画像Ａと画像Ｂは同じ画像系列の画像でも異なる画像系列の画像でもよいが、ゲームを行うときに、第１表示画面機器と第２表示画面機器とにフレーム毎に同期して表示されるべき画像である。
【００４７】
第２表示画面機器３０は、このような画像データとして１以上の画像系列の画像（ここでは、第１の画像系列の画像Ａ、第２の画像系列の画像Ｂ）を表示するための画像データを生成する画像生成部（以下、画像制御部という。）３０５と、この画像制御部３０５で生成された第２の画像系列の画像Ｂをその画像データ３０５１に基づいて表示する画面表示Ｂ部（本体側画像表示部）３０１と、操作者の操作に応じた制御Ｂ信号３０３１を生成するボタンＢ部（本体側操作部）３０３とを有している。ここで、画面表示Ｂ部３０１は第２表示画面機器３０の筐体３１にその表示面が露出するように取り付けられており、また、ボタンＢ部３０３は、操作ボタン３１３として押圧操作により動作する機械式押しボタンを有しており、筐体３１内にはボタンＢ部３０３が操作ボタン３１３に対する押圧操作が可能となるように組み込まれている。また、画像制御部３０５は、１つの画像系列の各画像Ａ及びもう１つの画像系列の各画像Ｂに対応させて識別子ＩＤを生成し、第１表示画面機器２０へ送信する第１の画像系列の画像Ａに識別子ＩＤを対応付けて、画像Ａの画像データ中に識別子ＩＤを付加した分離側識別画像データ（画像Ａ＆ＩＤ）３０５２を無線画像送信部３０２へと送り、画像Ｂの画像データ３０５１を画面表示Ｂ部へと送り、識別子（ＩＤ）３０５３を別途バッファ部３０６へ送るように構成されている。ここで、第１の画像系列の画像Ａには、各フレームの画像を表示すべきタイミングに相当する数値を持つ識別子（ＩＤ）が対応付けられ、第２の画像系列の画像Ｂには、各フレームの画像を表示すべきタイミングに相当する数値を持つ識別子（ＩＤ）が対応付けられる。つまり、第１の画像系列の画像と第２の画像系列の画像とは同じタイミングで表示されるべきものである場合は、これらの第１の画像系列の画像と第２の画像系列の画像とには、同じ数値を持つ識別子（ＩＤ）が対応付けられる。
【００４８】
第２表示画面機器３０は、分離側識別画像データ（画像Ａ＆ＩＤ）３０５２を受け取ると、これを無線信号に変換して、分離側識別画像データ（画像Ａ'＆ＩＤ'）３０２１として無線画像受信部２０２へ送信する無線画像送信部３０２と、画像制御部３０５から新たな識別子（ＩＤ）、つまり数値が更新された識別子３０５３を受け取る度に、その時点の制御Ｂ信号３０３１を、受け取った新たな識別子（ＩＤ）３０５３と関連付けて１組の情報（ＩＤ＆制御Ｂ信号）を生成して本体側識別制御データ３０６１として保存するバッファ部（本体側関連付部）３０６とを有している。また、第２表示画面機器３０は、第１表示画面機器２０から受信した分離側識別制御データ（ＩＤ''＆制御Ａ''信号）２０４１からＩＤと制御Ａ信号を取り出し、これらを１組にして分離側識別制御データ（ＩＤ＆制御Ａ信号）３０４１として比較部３０７へ送る無線データ受信部３０４と、新たな分離側識別制御データ（ＩＤ＆制御Ａ信号）３０４１を受け取ると、このデータから識別子（ＩＤ）を取り出し、バッファ部３０６１で保存されているいくつかの本体側識別制御データ（ＩＤ＆制御Ｂ信号）３０６１の中から、分離側識別制御データ３０４１から取り出した識別子（ＩＤ）と数値が同じ識別子（ＩＤ）を持つものを探し、数値が同じ識別子（ＩＤ）を持った本体側識別制御データ（ＩＤ＆制御Ｂ信号）から制御Ｂ信号を取り出して、分離側識別制御データ３０４１から取り出した制御Ａ信号と組み合わせて、同期制御データ（制御Ａ＆Ｂ信号）３０７１として画像制御部３０５へ送る比較部３０７とを有している。
【００４９】
ここで、第２表示画面機器３０を構成する画像制御部３０５、比較部３０７、及びバッファ部３０６は、ＣＰＵ３２０が制御プログラムに基づいて構築したものであり、この制御プログラムは、第２表示画面機器３０内の不揮発性の書き換え可能な記録媒体としての記憶部３１０に格納されている。なお、図示していないが、このＣＰＵ３２０は、第２表示画面機器３０の各部を制御する制御部を含んでいる。
【００５０】
また、第１表示画面機器２０は、第２表示画面機器３０から無線送信された分離側識別画像データ（画像Ａ'＆ＩＤ'）３０２１を受信し、受信した分離側識別画像データ３０２１から画像Ａを表示するための画像データ２０２１とこの画像Ａに対応付けられている識別子（ＩＤ）２０２２とを取り出し、画像データ２０２１を画面表示Ａ部へ送り、識別子（ＩＤ）２０２２を無線データ送信部２０４へ送る無線画像受信部２０２と、この無線画像受信部２０２で分離側識別画像データ（画像Ａ’＆ＩＤ’）３０２１から取り出された画像データ２０２１を受け取ると、画像データ２０２１に基づいて第１の画像系列の画像Ａを、第１表示画面機器２０を使用しているユーザにこの画像Ａが視認可能となるように表示する画面表示Ａ部（分離側画像表示部）２０１と、その操作者の操作により制御Ａ信号２０３１を無線データ送信部２０４に送るボタンＡ部（分離側操作部）２０３とを有している。ここで、この画面表示Ａ部２０１は第１表示画面機器２０の筐体２１にその表示面が露出するように取り付けられており、また、ボタンＡ部２０３は、操作ボタン２１３として押圧操作により動作する機械式押しボタンを有しており、筐体２１内にはボタンＡ部２０３が操作ボタン２１３に対する押圧操作が可能となるように組み込まれている。
【００５１】
また、第１表示画面機器２０は、無線画像受信部２０２から新たな識別子（ＩＤ）２０２２を受け取る度に、その時点の制御Ａ信号２０３１を、受け取った識別子（ＩＤ）２０２２と組み合わせ、これらを無線信号に変換して、分離側識別制御データ（ＩＤ''＆制御Ａ''信号）２０４１として無線データ受信部３０４へ送信する無線データ送信部２０４と、該スイッチ部４００から、第１表示画面機器２０が第２表示画面機器３０と接続されており、携帯機器１０が多画面の機器として動作する状態であるか否かを示す判定信号を受けて、第１表示画面機器２０の各部を制御するＣＰＵ２２０と、該ＣＰＵ２２０の制御動作を行わせる制御プログラムを格納した記憶部２１０とを有している。
【００５２】
なお、上記第２表示画面機器３０の筐体３１の上辺部には接続部材３２が取り付けられており、また、第１表示画面機器２０の筐体２１の下辺部には接続部材２２が取り付けられており、これらの接続部材３２及び２２は、その両端部が連結部材３３ａ及び３３ｂにより回動可能にかつ着脱可能に連結されている。
【００５３】
そして、この携帯機器１０は、第２表示画面機器３０と第１表示画面機器２０とが分離されたときも、分離されていないときも、第２表示画面機器３０で生成した画像データを第１表示画面機器２０に無線回線Ｅを介して無線送信し、第１表示画面機器２０でボタン操作により生成された制御信号を第２表示画面機器３０に無線回線Ｅを介して無線送信するようになっている。
【００５４】
なお、上記実施形態１では、第２表示画面機器３０のボタンＢ部３０３及び第１表示画面機器２０のボタンＡ部２０３でのボタン操作は、必ずしも画面表示Ａ部２０１及び表示画面Ｂ部３０に表示される画像を変更する操作に限定されるものではなく、音量調整や画面の明るさ調整、電源のオンオフなど種々の操作を行えることが望ましい。また、画面表示Ａ部２０１に表示される画像及び画面表示Ｂ部３０に表示される画像は、第１表示画面機器のボタン操作と、第２表示画面機器のボタン操作とのいずれのボタン操作によっても変更可能なものであることが望ましい。
【００５５】
次に動作について説明する。
【００５６】
この実施形態１の携帯機器１０は、図１（ａ）に示すように、第２表示画面機器３０と第１表示画面機器２０とが接続されている状態では２画面を有するゲーム機として用いて１人で楽しむことができる。この場合、第２表示画面機器３０と第１表示画面機器２０のそれぞれの画面には、例えば、異なる画像を表示してゲームに関する多くの情報を認識することができる。
【００５７】
例えば、図１（ａ）に示すように、第１表示画面機器２０の画面表示Ａ部２０１には、ゲームのキャラクターとしての２つのオブジェクトＯＢ１及びＯＢ２が表示され、第２表示画面機器３０の画面表示Ｂ部３０１には、別の画像情報Ｐ１が表示されている。この別の画像情報Ｐ１は、ゲームのキャラクターに関係のあるものでも、あるいは関係のないものでもよい。
【００５８】
また、２つの画面表示部を有する携帯機器１０では、２人でゲームなどを行う場合は、２画面表示を行って１人で遊ぶ時の表示状態（図１（ａ））から、この携帯機器１０を第１表示画面機器２０と第２表示画面機器３０とに分離して、それぞれの表示画面機器に、対応する第１の画像系列の画像Ａ及び第２の画像系列の画像Ｂを表示する（図１（ｂ））。図１（ｂ）では、第１表示画面機器２０の画面表示Ａ部２０１には、２つのオブジェクトＯＢ１及びＯＢ２と情報Ｐ２が画像Ａとして表示されており、第２表示画面機器３０の画面表示Ｂ部３０１には、２つのオブジェクトＯＢ１及びＯＢ２と情報Ｐ１が画像Ｂとして表示されている。
【００５９】
このとき、画像制御部３０５は、第１の画像系列の画像Ａ、第２の画像系列の画像Ｂ、及び識別子（ＩＤ）を作成し、画像Ａの画像データの中に識別子（ＩＤ）を付加してなる分離側識別画像データ（画像Ａ＆ＩＤ）３０５２を無線画像送信部３０２へ送り、画像Ｂの画像データ３０５１を画面表示Ｂ部３０１へ送り、識別子（ＩＤ）３０５３を別途バッファ部３０６へ送る。
【００６０】
ここで、識別子（ＩＤ）は、画像制御部３０５が、第１の画像系列の画像Ａ及び第２の画像系列の画像Ｂを新たに作り出す毎に、つまり各画像系列の１フレームの画像を作成する毎にその数値が変わるものであり、その数値は、有限の範囲内の数値（整数値）をとるため、この範囲内の全数値を１回ずつ出力したならば、その後は、また初めからこの範囲内の全数値を１回ずつ出力することを繰り返すことが望ましい。
【００６１】
なお、ここで、画像Ａの画像データに識別子（ＩＤ）を付加する処理は、画像Ａの画像データにおける、表示画像に直接影響を与えない、表示データ以外のデータ領域に付加するのが望ましい。例えば、画像データにおける表示データ以外のデータ領域は、画像データにおけるブランキング期間や、未使用ビット等に割当てられているデータ領域である。
【００６２】
画面表示Ｂ部３０１は、画像データ３０５１を受け取ると、この画像データ３０５１に基づいて画像Ｂを表示する。これにより、第２表示画面機器３０を使用している操作者（ユーザＢ）が、２つのオブジェクトＯＢ１及びＯＢ２を、他の情報Ｐ１とともに視認可能となる。この画面表示Ｂ部３０１の表示内容を見たユーザＢが今度は画面操作しようとボタンＢ部３０３を操作すると、ボタンＢ部３０３から操作内容を示す制御Ｂ信号３０３１がバッファ部３０６へ送られる。
【００６３】
バッファ部３０６は、画像制御部３０５から数値が更新された新たな識別子（ＩＤ）３０５３を受け取る度に、その時点の操作内容を示す制御Ｂ信号３０３１をこの識別子（ＩＤ）３０５３の数値と対応付けて本体側識別制御データ（ＩＤ＆制御Ｂ信号）として保存する。
【００６４】
また、無線画像送信部３０２は、分離側識別画像データ（画像Ａ＆ＩＤ）３０５２を受け取ると、これを無線信号に変換して、分離側識別画像データ（画像Ａ'＆ＩＤ'）３０２１として無線画像受信部２０２へ送信する。
【００６５】
無線画像受信部２０２は、受信した分離側識別画像データ（画像Ａ'＆ＩＤ'）３０２１から画像Ａの画像データ２０２１と識別子（ＩＤ）２０２２を取り出し、画像Ａの画像データ２０２１を画面表示Ａ部２０１へ送り、識別子（ＩＤ）２０２２を無線データ送信部２０４へ送る。なお、分離側識別画像データ（画像Ａ'＆ＩＤ'）３０２１から取り出した画像Ａの画像データ２０２１は、識別子（ＩＤ）２０２２が付加されたままであってもよい。なぜなら、先に述べたようにこの識別子（ＩＤ）は、画像データにおける表示データが含まれている部分には影響を与えない部分に付加されているからである。
【００６６】
画面表示Ａ部２０１は、無線画像受信部２０２から画像Ａの画像データ２０２１を受け取ると、この画像Ａの画像データ２０２１に基づいて画像Ａを表示する。これにより、第１表示画面機器２０を使用している操作者（ユーザＡ）は、図１（ｂ）に示すように、２つのオブジェクトＯＢ１及びＯＢ２を、他の情報Ｐ２とともに視認可能となる。
【００６７】
この画面表示Ａ部２０１を見た操作者（ユーザＡ）が今度は画面操作しようとボタンＡ部２０３を操作すると、ボタンＡ部２０３は、操作内容を示す制御Ａ信号２０３１を無線データ送信部２０４に送る。
【００６８】
無線データ送信部２０４は、無線画像受信部２０２から、数値が更新された新たな識別子（ＩＤ）２０２２を受け取る度に、その時点の操作内容を示す制御Ａ信号２０３１をこの識別子（ＩＤ）２０２２と対応付けて１組の情報として、これらを無線信号である分離側識別画像データ（ＩＤ''＆制御Ａ''信号）２０４１に変換して無線データ受信部３０４へと送信する。
【００６９】
無線データ受信部３０４は、受信した無線信号である分離側識別画像データ（ＩＤ''＆制御Ａ''信号）２０４１から識別子（ＩＤ）と制御Ａ信号を取り出し、これらを対応付けて分離側識別制御データ（ＩＤ＆制御Ａ信号）３０４１として比較部３０７へ送る。
【００７０】
比較部３０７は、無線データ受信部３０４から新たな分離側識別制御データ（ＩＤ＆制御Ａ信号）３０４１を受け取ると、このデータ３０４１から識別子（ＩＤ）を取り出し、バッファ部３０６１で保存されているいくつかの本体側識別制御データ（ＩＤ＆制御Ｂ信号）３０６１の中から、この分離側識別制御データ３０４１における識別子（ＩＤ）と同じ数値の識別子（ＩＤ）を持つ本体側識別制御データ３０６１を探し、この同じ数値の識別子（ＩＤ）を持った本体側識別制御データ（ＩＤ＆制御Ｂ信号）３０６１から制御Ｂ信号を取り出して、分離側識別制御データ３０４１における制御Ａ信号と共に、同期制御データ（制御Ａ＆Ｂ信号）３０７１として画像制御部３０５へ送る。この時、同じバッファ部３０６に、識別子（ＩＤ）の数値が分離側識別制御データ３０４１における識別子（ＩＤ）と同じである本体側識別制御データ（ＩＤ＆制御Ｂ信号）がなかった場合は、比較部３０７は、その旨の信号を作成し、それを同期制御データ（制御Ａ＆Ｂ信号）３０７１として画像制御部３０５へ送る。
【００７１】
画像制御部３０５は、受け取った同期制御データ（制御Ａ＆Ｂ信号）３０７１が示す操作内容に応じて、画像の加工が必要となった場合は加工を行って新たな画像Ａの画像データ及び画像Ｂの画像データを作成するとともに、数値を更新した新たな識別子（ＩＤ）の数値を作成し、再び画像Ａの画像データの中に識別子（ＩＤ）を付加させた分離側識別画像データ（画像Ａ＆ＩＤ）３０５２を無線画像送信部３０２へと送り、画像Ｂの画像データ３０５１を画面表示Ｂ部へと送り、識別子（ＩＤ）３０５３を別途バッファ部３０６へと送る。
【００７２】
なお、第２表示画面機器２０は、同期制御データ（制御Ａ＆Ｂ信号）３０７１が更新されない場合を考慮して、ボタンＢ部３０３以外にも画像制御部３０５を制御できる操作信号を生成する操作部を備えていることが望ましい。
【００７３】
以上の処理を繰り返すことにより、第１表示画面機器２０と第２表示画面機器３０が分離された状態で、画像データを生成する第２表示画面機器３０で行われたボタンＢ部３０３での操作と、画像データの無線送信先である第１表示画面機器２０上で行われたボタンＡ部２０３での操作との間で同期をとることが可能となる。
【００７４】
図３は、本発明の実施形態１による携帯機器の動作を具体的に説明する図であり、各フレームの画像が表示されるタイミングとボタン操作のタイミングとを示している。
【００７５】
例えば、１人の操作者が第２表示画面機器３０の画面表示Ｂ部３０１に表示された画像Ｂを見ながらそのボタンＢ部３０３で操作し、他の１人の操作者が第１表示画面機器２０の画面表示Ａ部２０１に表示された画像Ａを見ながらそのボタンＡ部２０３で操作する場合について説明する。
【００７６】
ここでは、第２表示画面機器３０の画面表示Ｂ部３０１には、第２の画像系列の画像Ｂが表示されており、第１表示画面機器２０の画面表示Ａ部２０１には、第２の画像系列の画像Ｂと同じ画像が、第１の画像系列の画像Ａとして表示されており、第２画像系列のフレームＦｂ１〜Ｆｂ６の画像は、第１の画像系列のフレームＦａ１〜Ｆａ６の画像と同期して表示されるべき画像であり、フレームＦａ１及びＦｂ１の画像の画像データには識別子（ＩＤ：１）が付与され、同様にフレームＦａ２〜Ｆａ６及びＦｂ２〜Ｆｂ６の画像の画像データには識別子（ＩＤ：２）〜（ＩＤ：６）が付与されている。
【００７７】
この状況で、第２表示画面機器３０の画面表示Ｂ部３０１を見ている１人の操作者が、そのボタンＢ部３０３を、第２の画像系列のフレームＦｂ１の表示開始タイミングＳｂ１から所定時間ΔＴｂだけ経過したタイミングＴｂｐで操作し、一方、第１表示画面機器２０の画面表示Ａ部２０１を見ている他の１人の操作者が、そのボタンＡ部２０３を、第１の画像系列のフレームＦａ１の表示開始タイミングＳａ１から所定時間ΔＴａだけ経過したタイミングＴａｐで操作するとき、第２表示画面機器３０の操作者と第１表示画面機器２０の操作者とが、同期して表示されるべきフレームＦｂ１及びＦａ１の表示開始タイミングから同じ遅れ時間ΔＴｂ（＝ΔＴａ）で操作している場合でも、第１表示画面機器２０の画面表示Ａ部２０１では、第１の画像系列のフレームＦａ１が、第２表示画面機器３０の画面表示Ｂ部３０１での対応する第２の画像系列のフレームＦｂ１の表示タイミングＳｂ１よりタイミング（Ｓａ１−Ｓｂ１）だけ遅れて表示されるため、第１表示画面機器２０のボタンＡ部２０３では制御Ａ信号２０３１が、第２表示画面機器３０のボタンＢ部３０３で生ずる制御Ｂ信号３０３１よりも遅れて出力されることとなる。
【００７８】
つまり、ボタンＢ部３０３の操作タイミングＴｂｐでは、まだ第２の画像系列の第２フレームＦｂ２の表示が始まっていないにも拘わらず、ボタンＡ部２０３の操作タイミングＴａｐでは、既に第２の画像系列の第２フレームＦｂ２の表示が開始している。このため、ボタンＡ部２０３からの制御Ａ信号２０３１とボタンＢ部３０３からの制御Ｂ信号３０３１とをこれらが発生したタイミングで画像制御部３０５に供給すると、操作タイミングＴａｐで発生した制御Ａ信号２０３１が示す操作内容を第２の画像系列の第２フレームＦｂ２の表示に反映することができないにも拘わらず、操作タイミングＴｂｐで発生した制御Ｂ信号３０３１が示す操作内容は、第２の画像系列の第２フレームＦｂ２の表示に反映されてしまうこととなる。その結果、第２表示画面機器３０の操作者と第１表示画面機器２０の操作者との間では、常に第２表示画面機器３０の操作者に有利にゲームが行われることとなる。
【００７９】
そこで、本実施形態１の携帯機器１０では、このような不公平を解消するために、第１表示画面機器２０のボタンＡ部２０３で発生した制御Ａ信号２０３１に、制御Ａ信号２０３１が発生したときに画面表示Ａ部２０１で表示されているフレームの識別子（ＩＤ）２０２２を組み合わせて分離側識別情報データ（ＩＤ＆制御Ａ信号）３０４１を作成する。また、第２表示画面機器３０のボタンＢ部３０３で発生した制御Ｂ信号３０３１に、この制御Ｂ信号が発生したときに画面表示Ｂ部３０１で表示されているフレームの識別子（ＩＤ）３０５３を組み合わせて本体側識別制御データ（ＩＤ＆制御Ｂ信号）３０６１を作成してバッファ部３０６に格納しておく。そして、比較部３０７では、分割側同期制御データ（ＩＤ＆制御Ａ信号）３０４１を受け取ったとき、この分割側同期制御データ（ＩＤ＆制御Ａ信号）３０４１の制御Ａ信号と、この識別子（ＩＤ）と同じ数値の識別子（ＩＤ）を持つ本体側識別制御データ（ＩＤ＆制御Ｂ信号）３０６１の制御Ｂ信号とを組み合わせて、制御Ａ信号２０３１が示す操作内容と制御Ｂ信号３０３１が示す操作内容の両方を示す同期制御データ（制御Ａ＆Ｂ信号）３０７１を作成して画像制御部３０５に供給するようにしている。
【００８０】
これにより、第１の画像系列の画像に対する第１表示画面機器２０のボタンＡ部２０３での操作と、ボタン操作が行われた第１の画像系列のフレームと同じタイミングで表示されるべき第２の画像系列のフレームに対する第２表示画面機器３０のボタンＢ部３０３での操作とが、同一タイミングでそれぞれの画像系列の画像に反映されることとなる。
【００８１】
この結果、第１の画像系列の画像Ａを表示する第１表示画面機器２０でのボタンＡ部２０３の操作が、第２の画像系列の画像Ｂを表示する第２表示画面機器３０でのボタンＢ部３０３の操作よりも遅れて各画像系列の画像に反映されるという不公平を解消することができる。
【００８２】
また、第１表示画面機器２０と第２表示画面機器３０が接続されている場合、無線データ送信部２０４及び無線画像送信部３０２から送信する無線信号の強度は、第１表示画面機器２０と第２表示画面機器３０が離れている場合よりも弱くてよい。なぜなら、第１表示画面機器２０と第２表示画面機器３０との間での通信距離は、これらが離れている場合よりも接続されている場合の方が短いからである。従って、第１表示画面機器２０のＣＰＵ２２０と第２表示画面機器３０のＣＰＵ３２０は、スイッチ部４００の判定信号に応じてお互いの機器が接続されていると判定したとき、消費電力削減のために、ＣＰＵ２２０が無線データ送信部２０４からの無線信号の強度が通信できる範囲で弱まるように無線データ送信部２０４を制御し、ＣＰＵ３２０が、無線画像送信部３０２からの無線信号の強度が通信できる範囲で弱まるように無線画像送信部３０２を制御することが望ましい。なお、無線データ送信部２０４及び無線画像送信部３０２はＣＰＵの制御によらずに、スイッチ部４００の判定信号に基づいて自身の出力する送信信号の強度を制御するものでもよい。
【００８３】
以下、本実施形態の作用効果について説明する。
【００８４】
本実施形態１では、１台の携帯機器１０を、それぞれ画像を表示する画面表示部及びボタン操作を行うボタン部を含む２つの表示画面機器２０及び３０に分離可能とし、一方の表示画面機器３０で生成した画像データを他方の表示画面機器２０に無線送信し、他方の表示画面機器２０のボタン部の操作により生じた制御信号を一方の表示画面機器３０に無線送信するようにしたので、１台の携帯機器１０を２つの表示画面機器２０及び３０に分離することにより、１つの携帯機器１０を２人で利用するとき、各人が独立した表示画面を見ながら独立したボタン操作をすることが可能となる。
【００８５】
また、本実施形態１では、画像データを生成する第２表示画面機器３０でのボタン操作と、この生成された画像データが供給される第１表示画面機器２０でのボタン操作とを同期させているので、第２表示画面機器３０でのボタン操作が第１表示画面機器２０でのボタン操作よりも早く表示画像に反映されてしまうのを回避できる。
【００８６】
つまり、分離した第２表示画面機器３０と第１表示画面機器２０とでは、生成した画像の画像データを無線通信により第２表示画面機器３０から第１表示画面機器２０へ送信し、ボタン操作で生じた制御信号を第１表示画面機器２０から第２表示画面機器３０へ無線通信で送信するので、第１表示画面機器２０の表示画像は、第２表示画面機器３０の表示画像に比べて無線で送信している分だけタイムラグが発生し、また第１表示画面機器２０ではその遅れた表示画像を基にボタン操作をし、このボタン操作により生じた制御信号を無線で送信しているため、第１表示画面機器２０でのボタン操作が表示画像に反映されるのに更にタイムラグが発生してしまう。言い換えると、これは、第２表示画面機器３０でのボタン操作が第１表示画面機器２０でのボタン操作よりも早くなってしまう可能性が大きいということであり、例えば、クイズゲームで早押し問題を２人でやる場合などでは、第２表示画面機器３０を操作している側が有利になってしまう傾向にあり、公平性が保証されず、引いてはゲームの楽しみが奪われてしまいかねない。
【００８７】
そこで、この実施形態１では、第１表示画面機器２０でのボタン操作のタイミングを基準とし、第２表示画面機器３０でのボタン操作を第１表示画面機器でのボタン操作に合わせることで、分離した２つの表示画面機器でのボタン操作の同期を取るようにしている。
【００８８】
つまり、第１表示画面機器２０が受け取る画像Ａの画像データに、１フレーム（画面）毎に数値が変化する識別子（ＩＤ）を付加し、第１表示画面機器２０でボタン操作が行われたときの表示画像に対応する識別子（ＩＤ）を、このボタン操作により生じた制御信号に関連付けて分離側識別制御データ（ＩＤ＆制御信号Ａ）３０４１として第２表示画面機器に渡す。一方で、第２表示画面機器３０では第１表示画面機器２０に画像データを送る際にその画像データに付加した識別子（ＩＤ）を、その時のボタン操作により生じた制御信号Ｂに関連付けて本体側識別制御データとして保存しておく。そして、第１表示画面機器２０からボタン操作による制御Ａ信号と識別子（ＩＤ）とのセットを分離側識別制御データ３０４１として受け取ったら、この分離側識別制御データ３０４１の識別子（ＩＤ）と、第２表示画面機器に保存されているボタン操作による制御Ｂ信号と識別子（ＩＤ）のセットとしての本体側識別制御データ３０６１の中の識別子（ＩＤ）とでその数値を比較して、分離側識別制御データ３０４１の識別子（ＩＤ）の同じ数値の識別子（ＩＤ）を持った本体側識別制御データ３０６１におけるボタン操作による制御Ｂ信号を、分離側識別制御データ３０４１における第１表示画面機器でのボタン操作による制御Ａ信号と共に画像制御部３０５に供給する。
【００８９】
これにより、画像制御部３０５では、第１表示画面機器２０でのボタン操作と第２表示画面機器３０でのボタン操作とでは、これらのボタン操作がどのフレームに対する操作であるかに従って、フレームの順番の早いものが優先されることとなり、第２表示画面機器３０でのボタン操作と第１表示画面機器２０でのボタン操作とが公平に次の画像を作り出す処理に反映されることとなる。
【００９０】
このようにこの実施形態１では、多画面化された携帯機器を用いて１人で複数の画面を見ながらゲームを楽しむことができるだけでなく、この携帯機器を、設けられている画面の個数分に分離することで、分離した画面の数と同じ人数で独立してゲームを操作することが可能となり、しかも、各画面を見て操作する複数の操作者の間で操作タイミングの不公平が生ずるのを解消することができる。
（実施形態１の変形例１）
なお、上記実施形態１では、第２表示画面機器３０の無線データ受信部３０４が、常に、無線データ送信部２０４から送信された分離側識別制御データ（ＩＤ''＆制御信号Ａ''）２０４１を受信できる場合について説明したが、無線データ送信部２０４と無線データ受信部３０４との間で何らかの通信障害が発生し、無線データ送信部２０４からの送信データである分離側識別制御データ（ＩＤ''＆制御信号Ａ''）２０４１が無線データ受信部３０４で受信できない場合もあり、以下このような場合に対応可能な携帯機器を実施形態１の変形例１として、図２を用いて説明する。
【００９１】
この実施形態１の変形例１に係る携帯機器では、実施形態１と同様に、無線データ送信部２０４と無線データ受信部３０４の無線通信は、無線データ送信部２０４が分離側識別制御データ（ＩＤ''＆制御Ａ''信号）２０４１を送信し、無線データ受信部３０４がそのデータ２０４１を正しく受け取れると、正しく受信した旨を知らせるＡＣＫ信号３０４２を無線データ送信部２０４へ送る。そして、この実施形態１の変形例１では、無線データ送信部２０４はこのＡＣＫ信号３０４２を受け取れなかった場合は、再び同じＩＤ''＆制御Ａ''信号を含む分離側識別制御データ２０４１を送信する。
【００９２】
これは、分離側識別制御データ（ＩＤ''＆制御Ａ''信号）２０４１は、分離側識別画像データ（画像Ａ'＆ＩＤ'信号）３０２１に比べデータ量が少ないため、次のＩＤ更新までに再送できる可能性があるためである。
【００９３】
これにより無線データ送信部２０４は、ＡＣＫ信号３０４２が受け取れるかどうかで、無線通信が正常に行われたかどうかを知ることができ、それにより正常に行われなかった場合に分離側識別制御データ２０４１を再送することができる。
【００９４】
また、無線データ送信部２０４は、この再送が何度も繰り返されている間に、数値が更新された新たな識別子（ＩＤ）が無線画像受信部２０２から供給されてしまった場合は、現在の再送データ２０４１を破棄し、更新されたＩＤ２０２２とその時の制御Ａ信号２０３１を、分離側識別制御データ２０４１として送信するように構成することが望ましい。なぜなら、分離側識別制御データ（ＩＤ''＆制御Ａ''信号）２０４１の送信が復帰した時に、常に新しい識別子（ＩＤ）を含む分離側識別制御データを第１表示画面機器２０から第２表示画面機器３０に渡せるからである。
【００９５】
また、無線データ送信部２０４からの分離側識別制御データ（ＩＤ''＆制御Ａ''信号）２０４１を無線データ受信部３０４が受信できない場合、第２表示画面機器３０では、無線データ受信部３０４の出力である分離側識別制御データ（ＩＤ＆制御Ａ信号）３０４１は更新されないため、比較部３０７は分離側識別制御データ３０４１と本体側識別制御データ３０６１との比較を行えず、同期制御データ（制御Ａ＆Ｂ信号）３０７１を更新することができず、画像制御部３０５に同期制御データ３０７１を伝えることができない。
【００９６】
これを回避する為に、比較部３０７は、バッファ部３０６へ送られる識別子（ＩＤ）３０５３の更新をカウントできるカウンタを有し、比較部３０７の入力データである分離側識別制御データ（ＩＤ＆制御Ａ信号）３０４１が更新されるとこのカウンタをリセットし、無線データ受信部３０４が分離側識別制御データ（ＩＤ''＆制御Ａ''信号）２０４１を長時間受信しないとき、すなわちカウンタがある一定以上に達したとき、その旨を知らせる信号を同期制御データ（制御Ａ＆Ｂ信号）３０７１として画像制御部３０５へと送る構成とすることが望ましい。これにより、画像制御部３０５は、画面表示Ｂ部３０１に、無線データ受信部３０４が分離側識別制御データ（ＩＤ''＆制御Ａ''信号）２０４１を長時間受信していないことを示す警告画像を表示でき、操作者に知らせることができる。
【００９７】
（実施形態１の変形例２）
また、実施形態１の変形例２の携帯機器は、実施形態１の携帯機器において、バッファ部３０６でのデータ記憶領域を削減するために、比較部３０７にて同期制御データ（制御Ａ＆Ｂ信号）３０７１が送られたら、送った同期制御データ３０７１に含まれる制御Ｂ信号に対応付けられている識別子（ＩＤ）を含む本体側識別制御データ（ＩＤ＆制御Ｂ信号）３０６１と、それよりも前の識別子（ＩＤ）を含む本体側識別制御データ（ＩＤ＆制御Ｂ信号）３０６１をバッファ部３０６から削除するようにしたものである。
【００９８】
但し、比較部３０７にて同期制御データ（制御Ａ＆Ｂ信号）３０７１を送信する前に、バッファ部３０６の本体側識別制御データ（ＩＤ＆制御Ｂ信号）３０６１のデータ量が保存量を上回った場合は、古い識別子（ＩＤ）を含む本体側識別制御データ（ＩＤ＆制御Ｂ信号）３０６１から順にバッファ部３０６から削除していくことが望ましい。
【００９９】
（実施形態１の変形例３）
この実施形態１の変形例３による携帯機器は、実施形態１の携帯機器において、分離側識別画像データ（画像Ａ'＆ＩＤ'信号）３０２１の通信障害と同時に分離側識別制御データ（ＩＤ''＆制御Ａ''信号）２０４１の通信障害も起きた場合に対応可能な構成としたものである。
【０１００】
無線データ送信部２０４が分離側識別制御データ（ＩＤ''＆制御Ａ''信号）２０４１の送信を終え、無線データ受信部３０４からＡＣＫ信号３０４２を受け取り、その後識別子（ＩＤ）２０２２が更新された後に、分離側識別画像データ（画像Ａ'＆ＩＤ'信号）３０２１の通信障害と同時に分離側識別制御データ（ＩＤ''＆制御Ａ''信号）２０４１の通信障害が起きてしまい、その後、識別子（ＩＤ）２０２２が更新される前に分離側識別制御データ（Ｄ''＆制御Ａ''信号）２０４１の通信が先に復旧してしまった場合、無線データ受信部２０４では識別子（ＩＤ）２０２２が更新されない状態が継続しているため、無線データ受信部３０４はかなり以前の識別子（ＩＤ）を受け取ることになる。
【０１０１】
この場合、バッファ部３０６には、比較部３０７にて受け取った分離側識別制御データ（ＩＤ＆制御Ａ信号）３０４１と同じ識別子（ＩＤ）をもった本体側識別制御データ（ＩＤ＆制御Ｂ信号）３０６１が存在しない可能性がある。
【０１０２】
この時、比較部３０７は、制御Ａ信号と制御Ｂ信号の両制御信号を破棄し、代わりに通信障害が起きた旨を示す信号を同期制御データ（制御Ａ＆Ｂ信号）３０７１として画像制御部３０５へと送ることが望ましい。これにより画像制御部３０５で通信障害を示す画像Ｂ信号３０５１を作り出し、この画像Ｂ信号に基づいて画面表示Ｂ部３０１に画像表示を行うことにより、画面表示Ｂ部３０１を見ているユーザＢに通信障害が起きたことを知らせることができる。この場合、第１表示画面機器２０の操作者及び第２表示画面機器３０の操作者が近づくなどの対応により通信障害を解消することができる。
【０１０３】
（実施形態１の変形例４）
この実施形態１の変形例４による携帯機器は、無線画像送信部３０２の送信データである分離側識別画像データ（画像Ａ'＆ＩＤ'信号）３０２１に何らかの通信障害が発生し、無線画像受信部２０２に送られない場合に対応可能な構成を備えたものである。
【０１０４】
例えば、画面表示Ａ部２０１に液晶パネルを用いている場合、定期的に画像Ａの画像データ２０２１を送ってやらないと液晶パネルの画面に画像が表示できなくなる。よって無線画像受信部２０２で分離側識別画像データ（画像Ａ'＆ＩＤ'信号）３０２１が受信できない場合が頻発すると、画像Ａの画像データ２０２１の送信が定期的でなくなり、画面表示Ａ部２０１の表示画面がぼやけたり消えたりしてしまう可能性が出てくる。
【０１０５】
例えば、無線画像送信部３０２と無線画像受信部２０２との間で通信が途切れるたびに画面表示Ａ部２０１の画面がこのような状態になってしまうと、画面表示Ａ部２０１を見ているユーザＡにとってストレスの元となり、使い勝手が悪くなってしまう。
【０１０６】
この実施形態１の変形例４では、これを避けるために、無線画像受信部２０２は、分離側識別画像データ（画像Ａ'＆ＩＤ'信号）３０２１を受信する間隔をカウントできるカウンタと、画像Ａの画像データ２０２１を保存するメモリとを有し、分離側識別画像データ（画像Ａ'＆ＩＤ'信号）３０２１を受信する度に、画像Ａの画像データ２０２１を取り出し、この画像データ２０２１を画面表示Ａ部２０１に送りながらこのメモリに保存するように構成されている。
【０１０７】
また、無線画像受信部２０２は、分離側識別画像データ（画像Ａ'＆ＩＤ'信号）３０２１を受信する度にこのカウンタにカウント動作を始動させ、カウントのカウント値が最大値（ＭＡＸ）になる前に、新たな分離側識別画像データ（画像Ａ'＆ＩＤ'信号）３０２１を受信したら、その受信データから画像Ａの画像データ２０２１を作り出し、カウントが最大値（ＭＡＸ）になる前に新たな分離側識別画像データ（画像Ａ'＆ＩＤ'信号）３０２１を受信できなかったら、メモリに保存した画像データを画像Ａの画像データ２０２１として画面表示Ａ部２０１に送る構成としている。
【０１０８】
これにより、分離側識別画像データ（画像Ａ'＆ＩＤ'信号）３０２１の通信が途絶えても、無線画像受信部２０２からは同じ画像Ａの画像データ２０２１が画面表示Ａ部２０１に送られることとなるため、画面表示Ａ部２０１は同じ画像Ａを映し続け、ユーザＡに不快な感情を抱かせることを避けることが可能になる。
【０１０９】
（実施形態１の変形例５）
この実施形態１の変形例５による携帯機器は、実施形態１の変形例４による携帯機器において、第１表示画面機器２０と第２表示画面機器３０が無線通信不可能な程離れた場合や、第２表示画面機器３０の電源が落とされて、長時間に渡って無線画像受信部２０２が、分離側識別画像データ（画像Ａ'＆ＩＤ'信号）３０２１を受信できない場合に対応可能な構成としたものである。
【０１１０】
具体的には、実施形態１の変形例４による携帯機器のように、分離側識別画像データ（画像Ａ'＆ＩＤ'信号）３０２１が受信不可となると、画面表示Ａ部２０１では、無線画像受信部２０２のメモリに保存した画像データを表示するようにしたものでは、無線画像受信部２０２が分離側識別画像データ３０２１を受信できないと、画面表示Ａ部２０１は同じ画像を表示され続ける。
【０１１１】
しかし、このように同じ画像の表示状態が長時間続くと、長時間に渡って、画面表示Ａ部２０１での意味のない画像表示のために電力が無駄に消費され続けることとなる。
【０１１２】
これを回避するため、この実施形態１の変形例５による携帯機器では、無線画像受信部２０２は、このメモリにある画像を送信した回数をカウントするカウンタを有し、このカウンタがある回数に達すると制御Ｃ信号２０２３を画面表示Ａ部２０２３へ送り、画面表示Ａ部の動作を停止させるかもしくは表示を停止させる構成となっている。
【０１１３】
（実施形態２）
図４は、本発明の実施形態２による携帯機器の構成を示すブロック図である。
【０１１４】
この実施形態２の携帯機器１０ａは、実施形態１の携帯機器１０と同様に、画像データを生成し、生成した画像データに基づいて画像を表示する主表示画面機器（以下、第２表示画面機器という。）３０ａと、第２表示画面機器３０ａで生成された画像データに基づいて画像を表示する補助表示画面機器（以下、第１表示画面機器という。）２０ａとを有し、第２表示画面機器３０ａを本体側機器として第１表示画面機器２０ａを本体側機器から分離側機器として分離可能に構成したものである。
【０１１５】
そして、この実施形態２の携帯機器１０ａは、実施形態１の携帯機器１０の構成に加えて、第１表示画面機器２０ａと第２表示画面機器３０ａとを接続するコネクタ部４０１を備えている。
【０１１６】
ここで、第１表示画面機器２０ａは、第２表示画面機器３０ａから無線送信された分離側識別画像データ（画像Ａ’＆ＩＤ’信号）３０２１を受信する無線画像受信部２０２と、第２表示画面機器３０ａからコネクタ部４０１を介して有線で送信された画像Ａの画像データ３０５４と、無線画像受信部２０２で受信した分離側識別画像データ３０２１の画像Ａの画像データ２０２１との一方を選択して出力するセレクタ部２０５と、このセレクタ部２０５で選択された画像データ２０５１に基づいて画像を表示する画面表示Ａ部２０１とを備えている。
【０１１７】
この携帯機器１０ａでは、第１表示画面機器２０ａと第２表示画面機器３０ａとが接続されている状態では、セレクタ２０５はコネクタ部４０１からの画像Ａの画像データ３０５４を選択して画面表示Ａ部２０１に供給し、第１表示画面機器２０ａと第２表示画面機器３０ａが分離されている状態では、セレクタ部２０５では無線画像受信部２０２で受信した分離側識別画像データ３０２１の画像Ａの画像データ２０２１を選択して画面表示Ａ部２０１に供給するように構成されている。ここで、セレクタ部２０５は、スイッチ部４００からの信号に基づいて、選択する画像データを切り替えている。また、この第１表示画面機器２０ａは、ボタンＡ部２０３、無線データ送信部２０４、ＣＰＵ２２０ａ、及び記憶部２１０を有しており、これらは実施形態１におけるものと同様のものである。
【０１１８】
また、この実施形態２の第２表示画面機器３０ａは、実施形態１における画像制御部３０５に代えて、画像Ａの画像データ３０５４を分離側識別画像データ（画像Ａ＆ＤＩ信号）３０５２とともに出力する画像制御部３０５ａを備えたものであり、この第２表示画面機器３０ａにおけるその他の構成は、実施形態１の第２表示画面機器３０と同一であり、ＣＰＵ３２０ａは、記憶部３１０に格納されている制御プログラムにより、上記画像制御部３０５ａ、バッファ部３０６及び比較部３０７を構築するものである。
【０１１９】
次に動作について説明する。
【０１２０】
この実施形態２の携帯機器１０ａは、第１表示画面機器２０ａと第２表示画面機器３０ａが離されて使用される状況では、実施形態１の携帯機器１０と同様に動作するので、ここでは第１表示画面機器２０ａと第２表示画面機器３０ａが接続されている状態での動作について説明する。
【０１２１】
第１表示画面機器２０ａと第２表示画面機器３０ａが接続されると、画像制御部３０５ａから出力される画像Ａの画像データ３０５４は、コネクタ部４０１を介して有線にてセレクタ部２０５に出力される。また、スイッチ部４００では、セレクタ部２０５に対して第１表示画面機器２０ａと第２表示画面機器３０ａとの接続状態であることを示す制御信号を出力する。セレクタ部２０５では、この制御信号を受けると、コネクタ部４０１からの画像Ａの画像データ３０５４を選択して画面表示Ａ部２０１に供給する。これにより画面表示Ａ部２０１では、画面表示Ｂ部で第２の画像系列の画像Ｂの各フレームが表示されるのと同期して、第２の画像系列の画像Ｂの各フレームに対応する第１の画像系列の画像Ａのフレームが表示される。この場合、第１の画像系列の画像Ａの画像データは有線で第１表示画面機器２０ａに送られるので、無線送信する場合のように、第１表示画面機器２０ａでの第１の画像系列の画像Ａの表示が第２表示画面機器３０ａでの第２の画像系列の画像Ｂの表示に対してタイムラグが生ずることはない。
【０１２２】
またこの際、無線画像送信部３０２と無線画像受信部２０２による無線通信は不要となるので、消費電力削減のため、スイッチ部４００からの制御信号により、無線画像送信部３０２と無線画像受信部２０２はその動作を停止する。ただし、このとき動作を停止させるか否かは、初期設定により変更可能とすることが好ましい。
【０１２３】
さらに、ボタンＡ部２０３においては、接続されている時は１人で使用する場合と割り切り、ボタンＡ部２０３での操作は行わないとすることが考えられる。この場合、ボタンＡ部２０３での操作は不要となるため、無線データ送信部２０４と無線データ受信部３０４は動作する必要がなくなる。その結果、消費電力削減のため、スイッチ部４０１からの制御信号により、無線データ送信部２０４と無線データ受信部３０４の動作を停止することが望ましい。ただし、このとき動作を停止させるか否かは、初期設定により変更可能とすることが好ましい。
【０１２４】
これにより、分離側識別制御データ（ＩＤ＆制御Ａ信号）３０４１は比較部３０７へと送られることはなくなるため、比較部３０７では、その入力が遮断された状態となり、制御Ａ＆Ｂ信号３０７１を出力する動作を実質的に停止する。
【０１２５】
この実施形態２では、これを回避するため、第１表示画面機器２０ａと第２表示画面機器３０ａが接続されている場合、比較部３０７は本体側識別制御データ（ＩＤ＆制御Ｂ信号）３０６１のみをそのまま同期制御データ（制御Ａ＆Ｂ信号）３０７１として画像制御部３０５ａへと送るように動作モードを変更する構成としている。この際、バッファ部３０６では制御Ｂ信号３０３１と識別子（ＩＤ）３０５３を本体側識別制御データとして保存する必要はなくなり、ボタンＢ部３０３から送られる制御Ｂ信号３０３１をそのまま本体側識別制御データ（ＩＤ＆制御Ｂ信号）３０６１として比較部３０７へと送る。
【０１２６】
このように本実施形態２では、第１表示画面機器２０ａと第２表示画面機器３０ａとを接続するコネクタ部４０１を備え、第１表示画面機器２０ａと第２表示画面機器３０ａとが接続されている状態では、該コネクタ部４０１を介して分離側画像データを有線で第２表示画面機器３０ａから第１表示画面機器２０ａに送信するようにしたので、第１表示画面機器２０ａと第２表示画面機器３０ａとが接続されている状態では、第１表示画面機器２０ａで表示する第１の画像系列の画像Ａの画像データ３０５４を無線で通信するための無線画像送信部３０２及び無線画像受信部２０２の動作を停止でき、省電力化を図ることができる。さらには、第１表示画面機器２０ａと第２表示画面機器３０ａとの間で、ボタン操作により生ずる制御信号の同期をとるための構成、つまり無線データ送信部２０４及び無線データ受信部３０４の動作を停止することでさらなる省電力化を図ることができる。
【０１２７】
（実施形態３）
図５は、本発明の実施形態３による携帯機器の構成を示すブロック図である。
【０１２８】
この実施形態３による携帯機器１０ｂは、実施形態１の携帯機器１０と同様に、画像データを生成し、生成した画像データに基づいて画像を表示する主表示画面機器（以下、第２表示画面機器という。）３０ｂと、主表示画面機器３０ｂで生成された画像データに基づいて画像を表示する補助表示画面機器（以下、第１表示画面機器という。）２０ｂとを有し、第２示画面機器３０ｂを本体側機器として第１表示画面機器２０ｂを本体側機器から分離側機器として分離可能に構成したものである。この携帯機器１０ｂは、第１表示画面機器２０ｂと第２表示画面機器３０ｂとを接続するコネクタ部４０１ｂを備えている。
【０１２９】
このコネクタ４０１ｂは、実施形態２の携帯機器１０ａにおけるコネクタ部４０１ａの機能に加えて、第１表示画面機器２０ｂのボタンＡ部２０３ｂからの制御Ａ信号２０３２を第２表示画面機器３０ｂの比較部３０７ｂに有線で送信する機能を有するものである。
【０１３０】
ここで、第１表示画面機器２０ｂは、第２表示画面機器３０ｂから無線送信された分離側識別画像データ（画像Ａ’＆ＩＤ’）３０２１を受信する無線画像受信部２０２と、第２表示画面機器３０ｂからコネクタ部４０１ｂを介して有線で送信された画像データ３０５４と、無線画像受信部２０２で受信した分離側識別画像データ３０２１の画像データ２０２１とを選択し、選択した画像データ２０５１を出力するセレクタ部２０５と、このセレクタ部２０５で選択された画像データ２０５１に基づいて画像を表示する画面表示Ａ部２０１とを備えている。
【０１３１】
また、この携帯機器１０ｂは、第１表示画面機器２０ｂと第２表示画面機器３０ｂが接続されている状態では、セレクタ２０５ではコネクタ部４０１ｂからの画像データ３０５４を選択して画面表示Ａ部２０１に供給し、第１表示画面機器２０ｂと第２表示画面機器３０ｂとが分離されている状態では、セレクタ部２０５では無線画像受信部２０２で受信した分離側識別画像データ３０２１の画像データ２０２１を選択して画面表示Ａ部２０１に供給するように構成されている。ここで、セレクタ部２０５は、スイッチ部４００からの信号により、第１表示画面機器２０ｂと第２表示画面機器３０ｂが接続されていると判断したときは、コネクタ４０１ｂからの画像Ａの画像データ３０５４を、接続されていない時は、無線画像受信部２０２で受信した分離側識別画像データ３０２１における画像Ａの画像データ２０２１を選択するように構成されている。また、この第１表示画面機器２０ｂは、ボタンＡ部２０３ｂ、無線データ送信部２０４、ＣＰＵ２２０ｂ、及び記憶部２１０を有しており、これらは実施形態１におけるものと同様のものである。
【０１３２】
この実施形態３の第２表示画面機器３０ｂは、実施形態１における画像制御部３０５及び比較部３０７に代えて、画像Ａの画像データ３０５４を、分離側識別画像データ（画像Ａ＆ＤＩ信号）３０５２とともに出力する画像制御部３０５ｂと、無線データ受信部３０４からの分離側識別制御データ（ＩＤ＆制御Ａ信号）３０４１及びコネクタ部４０１ｂからの制御Ａ信号２０３２を受ける比較部３０７ｂとを備えたものである。この第２表示画面機器３０ｂにおけるその他の構成は、実施形態１の第２表示画面機器３０と同一である。
【０１３３】
そして、この携帯機器１０ｂでは、第１表示画面機器２０ｂと第２表示画面機器３０ｂが接続されている状態では、画像制御部３０５ｂで生成された画像Ａの画像データ３０５４をコネクタ部４０１ｂを介してセレクタ部２０５に供給し、第１表示画面機器２０ｂのボタンＡ部２０３ｂからの制御Ａ信号をコネクタ部４０１ｂを介して比較部３０７ｂに供給し、第１表示画面機器２０ｂと第２表示画面機器３０ｂが分離されている状態では、無線データ受信部３０４で受信した分離側識別制御データ３０４１を比較部３０７ｂに供給するように構成されている。
【０１３４】
つまり、この実施形態３では、比較部３０７ｂは、スイッチ部４００からの信号により、第１表示画面機器２０ｂと第２表示画面機器３０ｂが接続されていると判定したときは、分離側識別制御データ（ＩＤ＆制御信号Ａ）３０４１ではなく、本体側識別制御データ（ＩＤ＆制御Ｂ信号）３０６１をそのまま、制御Ａ信号２０３２とともに、同期制御データ（制御Ａ＆Ｂ信号）３０７１として画像制御部３０５ｂに送るように構成されている。
【０１３５】
なお、第２表示画面機器３０ｂにおけるＣＰＵ３２０ｂは、記憶部３１０に格納されている制御プログラムにより、比較部３０７ｂ、バッファ部３０６及び画像制御部３０５ｂを構築するものであり、第２表示画面機器３０ｂにおけるその他の構成は、実施形態１の第２表示画面機器３０ａにおけるものと同一である。
【０１３６】
また、第１表示画面機器２０ｂは、実施形態１の第１表示画面機器２０におけるボタンＡ部２０３に代えて、ボタン操作により発生した制御Ａ信号２０３１及び２０３２を無線データ送信部２０４及びコネクタ部４０１ｂに供給するボタンＡ部２０３ｂを備えている。この第１表示画面機器２０ｂにおけるその他の構成は実施形態１の第１表示画面機器２０におけるものと同一である。
【０１３７】
次に動作について説明する。
【０１３８】
この実施形態３の携帯機器１０ｂは、第１表示画面機器２０ｂと第２表示画面機器３０ｂが離されて使用される状況では、実施形態１の携帯機器１０と同様に動作する。また、第１表示画面機器２０ｂと第２表示画面機器３０ｂが接続されている場合の画像データの送信に関しては実施形態２の携帯機器１０ａと同じである。
【０１３９】
そこで、この実施形態３では、第１表示画面機器２０ｂと第２表示画面機器３０ｂが接続された時のボタンＡ部およびボタンＢ部で生成される制御信号の送信動作について説明する。
【０１４０】
第１表示画面機器２０ｂと第２表示画面機器３０ｂが接続されると、画像制御部３０５ｂから出力される第１の画像系列の画像Ａの画像データ３０５４は、コネクタ部４０１ｂを介して有線にてセレクタ部２０５に出力される。また、この状態では、ボタンＡ部２０３ｂで発生した制御Ａ信号２０３２は、コネクタ部４０１ｂを介して比較部３０７ｂに供給される。
【０１４１】
比較部３０７ｂは、スイッチ部４００ｂからの信号により、第１表示画面機器２０ｂと第２表示画面機器３０ｂが接続されていると判断したときは、無線データ受信部３０４からの分離側識別制御データ（ＩＤ＆制御Ａ信号）３０４１ではなく、コネクタ部４０１ｂからの制御Ａ信号２０３２を選択し、本体側識別制御データ（ＩＤ＆制御Ｂ信号）３０６１をそのまま、選択した制御Ａ信号２０３２とともに同期制御データ（制御Ａ＆Ｂ信号）３０７１として画像制御部３０５ｂに送る。
【０１４２】
この際、無線データ送信部２０４と無線データ受信部３０４による無線通信は不要となるので、消費電力削減のため、これらの動作を停止することが望ましい。また、バッファ部３０６では制御Ｂ信号３０３１と識別子（ＩＤ）３０５３とを対応付けて本体側識別制御データ３０６１として保存する必要はなくなり、ボタンＢ部３０３から送られる制御Ｂ信号３０３１をそのまま本体側識別制御データ（ＩＤ＆制御Ｂ信号）３０６１として比較部３０７ｂへと送ることが望ましい。
【０１４３】
このように本実施形態３では、第１表示画面機器２０ｂと第２表示画面機器３０ｂとを接続するコネクタ部４０１ｂを備え、第１表示画面機器２０ｂと第２表示画面機器３０ｂとが接続されている状態では、該コネクタ部４０１ｂを介して分離側画像データ３０５４を有線で第２表示画面機器３０ｂから第１表示画面機器２０ｂに送信し、また、ボタンＡ分離側２０３ｂで生成された制御Ａ信号２０３２をコネクタ部４０１ｂを介して第１表示画面機器２０ｂから第２表示画面機器３０ｂに送信するようにしたので、第１表示画面機器２０ｂと第２表示画面機器３０ｂとが接続されている状態では、第１表示画面機器２０ｂで表示する第１画像系列の画像Ａの画像データ３０５４を無線で通信するための無線画像送信部３０２及び無線画像受信部２０２の動作を停止でき、省電力化を図ることができる。さらには、第１表示画面機器２０ｂと第２表示画面機器３０ｂとの間で、ボタン操作により生ずる制御信号の同期をとるための構成、つまり無線データ送信部２０４及び無線データ受信部３０４の動作を停止することでさらなる省電力化を図ることができる。
（実施形態４）
図６は、本発明の実施形態４による携帯機器の外観を示す図であり、図６（ａ）は、この携帯機器を構成する主表示画面機器（本体側機器）と、補助表示画面機器（第１及び第３表示画面機器）とが結合している状態を示し、図６（ｂ）は、主表示画面機器から補助表示画面機器である第１及び第３表示画面機器を切り離した状態を示している。また、図７は、本発明の実施形態４による携帯機器の構成を示すブロック図である。なお、これらの図中、図１及び図２と同一符号は実施形態１におけるものと同一のまたは相当するものを示している。
【０１４４】
この実施形態４の携帯機器１０ｃは、画像データを生成し、生成した画像データに基づいて画像Ｂを表示する主表示画面機器（以下、第２表示画面機器という。）３０ｃと、この主表示画面機器３０ｃで生成された画像データに基づいて画像Ａ１を表示する補助表示画面機器（以下、第１表示画面機器という。）２０ｄと、この主表示画面機器３０ｃで生成された画像データに基づいて画像Ａ２を表示する補助表示画面機器（以下、第３表示画面機器という。）２０ｅとを有している。
【０１４５】
また、携帯機器１０ｃは、第１表示画面機器２０ｄが第２表示画面機器３０ｃから分離されて分離側機器として動作する状態と、第１表示画面機器２０ｄが第２表示画面機器３０ｃと接続されている状態のいずれの状態であるかを判定して判定結果を示す判定信号を出力するスイッチ部４００ｄと、第３表示画面機器２０ｅが第２表示画面機器３０ｃから分離されて分離側機器として動作する状態と、第３表示画面機器２０ｅが第２表示画面機器３０ｃと接続されている状態のいずれの状態であるかを判定して判定結果を示す判定信号を出力するスイッチ部４００ｅとを有し、第２表示画面機器３０ｃを本体側機器として第１表示画面機器２０ｄ及び第３表示画面機器２０ｅを独立して本体側機器から分離側機器として分離可能に構成したものである。
【０１４６】
ここでは、携帯機器１０ｃの一例として携帯ゲーム機を挙げており、第１、第３の表示画面機器に表示する画像Ａ１、画像Ａ２と、第２表示画面機器に表示する画像Ｂは同じ画像でも異なる画像でもよいが、ゲームを行うときに、第１表示画面機器２０ｄと第２表示画面機器３０ｃと第３表示画面機器２０ｅとに同期させて表示されるべき画像である。
【０１４７】
第２表示画面機器３０ｃは、このような画像データとして１以上の画像系列の画像（ここでは、第１の画像系列の画像Ａ１、第２の画像系列の画像Ｂ、第３の画像系列の画像Ａ２）を表示するための画像データを生成する画像生成部（以下、画像制御部という。）３１５と、この画像制御部３１５で生成された第２の画像系列の画像Ｂをその画像データ３０５１に基づいて表示する画面表示Ｂ部（本体側画像表示部）３０１ｃと、操作者の操作に応じた制御Ｂ信号３０３１を生成するボタンＢ部（本体側操作部）３０３ｃとを有している。ここで、画面表示Ｂ部３０１ｃは第２表示画面機器３０ｃの筐体３１にその表示面が露出するように取り付けられており、また、ボタンＢ部３０３ｃは、操作ボタン３１３ｃとして押圧操作により動作する機械式押しボタンを有しており、筐体３１内にはボタンＢ部３０３ｃが操作ボタン３１３ｃに対する押圧操作が可能となるように組み込まれている。また、画像制御部３１５は、第１の画像系列の画像Ａ１、第２の画像系列の画像Ｂ及び第３の画像系列の画像Ａ２に対応させて識別子ＩＤを生成し、第１、第３表示画面機器２０ｄ、２０ｅへ送信する第１、第３の画像系列の画像Ａ１、Ａ２に識別子ＩＤを対応付けて、画像Ａ１、Ａ２の画像データ中に識別子ＩＤを付加した分離側識別画像データ（画像Ａ１＆ＩＤ信号）３０５２ｄ、（画像Ａ２＆ＩＤ信号）３０５２ｅを無線画像送信部３１２へ送り、画像Ｂの画像データ３０５１を画面表示Ｂ部３０１ｃへと送り、識別子（ＩＤ）３０５３を別途バッファ部３０６へ送るように構成されている。
【０１４８】
ここで、第１、第３の画像系列の画像Ａ１、Ａ２には、この画像を表示すべきタイミングに相当する数値を持つ識別子（ＩＤ）が対応付けられ、第２の画像系列の画像Ｂには、この画像を表示すべきタイミングに相当する数値を持つ識別子（ＩＤ）が対応付けられる。つまり、第１、第２、第３の画像系列の画像が同じタイミングで表示されるべきものである場合は、これらの第１、第２、第３の画像系列の画像には、同じ数値を持つ識別子（ＩＤ）がフレーム毎に対応付けられる。
【０１４９】
第２表示画面機器３０ｃは、分離側識別画像データ（画像Ａ１＆ＩＤ信号）３０５２ｄ及び分離側識別画像データ（画像Ａ２＆ＩＤ信号）３０５２ｅを受け取ると、これらを無線信号に変換して、分離側識別画像データ（画像Ａ１'＆ＩＤ'信号）３０２１ｄ及び分離側識別画像データ（画像Ａ２'＆ＩＤ'）３０２１ｅとして無線画像受信部２０２ｄ及び２０２ｅへ送信する無線画像送信部３１２と、画像制御部３１５から新たな識別子（ＩＤ）、つまり数値が更新された識別子３０５３を受け取る度に、その時点の制御Ｂ信号３０３１を、受け取った新たな識別子（ＩＤ）３０５３と関連付けて１組の情報（ＩＤ＆制御Ｂ信号）を生成して本体側識別制御データ３０６１として保存するバッファ部（本体側関連付部）３０６とを有している。
【０１５０】
また、第２表示画面機器３０ｃは、第１、第３表示画面機器２０ｄ、及び２０ｅから受信した分離側識別制御データ（ＩＤ''＆制御Ａ１''信号）２０４１ｄ、及び分離側識別制御データ（ＩＤ''＆制御Ａ２''信号）２０４１ｅから、ＩＤと制御Ａ１信号、及びＩＤと制御Ａ２信号を取り出し、これらを１組にして分離側識別制御データ（ＩＤ＆制御Ａ１信号）３０４１ｄ、及び分離側識別制御データ（ＩＤ＆制御Ａ２信号）３０４１ｅとして比較部３１７へ送る無線データ受信部３１４を有している。
【０１５１】
また、第２表示画面機器３０ｃは、実施形態１の比較部３０７に代わる、この比較部３０７とは異なる機能を有する比較部３１７を有している。つまり、この比較部３１７は、内部メモリを有し、新たな分離側識別制御データ（ＩＤ＆制御Ａ１信号）３０４１ｄ及び新たな分離側識別制御データ（ＩＤ＆制御Ａ２信号）３０４１ｅを受け取ると、これらを内部メモリに格納する。そして、これらの両方の分離側識別制御データ３０４１ｄ及び３０４１ｅの想定されるタイムラグに相当する期間が経過した後に、内部メモリに格納したその一方（例えば、分離側識別制御データ３０４１ｄ）から、その他方の分離側識別制御データ３０４１ｅから取り出した識別子（ＩＤ）と同じ数値の識別子（ＩＤ）を持つものを取り出す。さらに、続いて、この比較部３１７は、バッファ部３０６１で保存されているいくつかの本体側識別制御データ（ＩＤ＆制御Ｂ信号）３０６１の中から、分離側識別制御データ３０４１ｅから取り出した識別子（ＩＤ）と同じ数値の識別子（ＩＤ）を持つものを探す。さらに、比較部３１７は、数値が同じ識別子（ＩＤ）を持った本体側識別制御データ（ＩＤ＆制御Ｂ信号）から制御Ｂ信号を取り出し、数値が同じ識別子（ＩＤ）を持った分離側識別制御データ（ＩＤ＆制御Ａ１信号）３０４１ｄから制御Ａ１信号を取り出し、分離側識別制御データ３０４１ｅから制御Ａ２信号を取り出し、取り出した信号を組み合わせて、同期制御データ（制御Ａ１、Ａ２＆Ｂ信号）３０７１ｃとして画像制御部３１５へ送る。
【０１５２】
ここで、第２表示画面機器３０を構成する画像制御部３１５、比較部３１７、及びバッファ部３０６は、ＣＰＵ３２０ｃが制御プログラムに基づいて構築したものであり、この制御プログラムは、第２表示画面機器３０ｃ内の不揮発性の書き換え可能な記録媒体としての記憶部３１０に格納されている。なお、図示していないが、このＣＰＵ３２０ｃは、第２表示画面機器３０ｃの各部を制御する制御部を含んでいる。
【０１５３】
また、第１及び第３表示画面機器２０ｄ及び２０ｅは、第２表示画面機器３０ｃから無線送信された分離側識別画像データ（画像Ａ１'＆ＩＤ'信号）３０２１ｄ及び分離側識別画像データ（画像Ａ２'＆ＩＤ'信号）３０２１ｅを受信し、受信した分離側識別画像データ３０２１ｄ及び３０２１ｅから画像Ａ１及びＡ２を表示するための画像データ２０２１ｄ及び２０２１ｅと、この画像Ａ１及びＡ２に対応付けられている識別子（ＩＤ）２０２２ｄ及び２２０２ｅとを取り出し、画像データ２０２１ｄ及び２０２１ｅを画面表示Ａ１部２０１ｄ及び画面表示Ａ２部２０１ｅへ送り、識別子（ＩＤ）２０２２ｄ及び２０２２ｅを無線データ送信部２０４ｄ及び２０４ｅへ送る無線画像受信部２０２ｄ及び２０２ｅを有している。
【０１５４】
また、第１及び第３表示画面機器２０ｄ及び２０ｅは、この無線画像受信部２０２ｄ及び２０２ｅで分離側識別画像データ（画像Ａ１’＆ＩＤ’信号）３０２１ｄ及び分離側識別画像データ（画像Ａ１’＆ＩＤ’信号）３０２１ｅから取り出された画像データ２０２１ｄ及び２０２１ｅを受け取ると、画像データ２０２１ｄ及び２０２１ｅに基づいて第１及び第３の画像系列の画像Ａ１及びＡ２を、第１及び第３表示画面機器２０ｄ及び２０ｅを使用しているユーザにこの画像Ａ１及びＡ２が視認可能となるように表示する画面表示Ａ１部２０１ｄ及び画面表示Ａ２部２０１ｅを有している。
【０１５５】
さらに、第１及び第３表示画面機器２０ｄ及び２０ｅは、その操作者の操作により制御Ａ１信号２０３１ｄ及び制御Ａ２信号２０３１ｅを無線データ送信部２０４ｄ及び２０４ｅに送るボタンＡ１部（分離側操作部）２０３ｄ及びボタンＡ２部（分離側操作部）２０３ｅを有している。
【０１５６】
ここで、この画面表示Ａ１部２０３ｄは第１表示画面機器２０ｄの筐体２１にその表示面が露出するように取り付けられており、ボタンＡ１部２０３ｄは、操作ボタン２１３ｄとして押圧操作により動作する機械式押しボタンを有しており、筐体２１内にはボタンＡ１部２０３ｄが操作ボタン２１３ｄに対する押圧操作が可能となるように組み込まれている。また、画面表示Ａ２部２０３ｅは第３表示画面機器２０ｅの筐体２１にその表示面が露出するように取り付けられており、ボタンＡ２部２０３ｅは、操作ボタン２１３ｅとして押圧操作により動作する機械式押しボタンを有しており、筐体２１内にはボタンＡ２部２０３ｅが操作ボタン２１３ｅに対する押圧操作が可能となるように組み込まれている。
【０１５７】
また、第１表示画面機器２０ｄは、無線画像受信部２０２ｄから新たな識別子（ＩＤ）２０２２ｄを受け取る度に、その時点の制御Ａ１信号２０３１ｄを、受け取った識別子（ＩＤ）２０２２ｄと組み合わせ、これらを無線信号に変換して、分離側識別制御データ（ＩＤ''＆制御Ａ１''信号）２０４１ｄとして無線データ受信部３１４へ送信する無線データ送信部２０４ｄと、第１表示画面機器２０ｄの各部を制御するＣＰＵ２２０ｄと、該ＣＰＵ２２０ｄの制御動作を行わせる制御プログラムを格納した記憶部２１０ｄとを有している。
【０１５８】
また、第３表示画面機器２０ｅは、無線画像受信部２０２ｅから新たな識別子（ＩＤ）２０２２ｅを受け取る度に、その時点の制御Ａ２信号２０３１ｅを、受け取った識別子（ＩＤ）２０２２ｅと組み合わせ、これらを無線信号に変換して、分離側識別制御データ（ＩＤ''＆制御Ａ２''信号）２０４１ｅとして無線データ受信部３１４へ送信する無線データ送信部２０４ｅと、第３表示画面機器２０ｅの各部を制御するＣＰＵ２２０ｅと、該ＣＰＵ２２０ｅの制御動作を行わせる制御プログラムを格納した記憶部２１０ｅとを有している。
【０１５９】
なお、上記第２表示画面機器３０ｃの筐体３１の上辺部には接続部材３２ｃが取り付けられており、また、第１表示画面機器２０ｄの筐体２１の下辺部には接続部材２２ｄが取り付けられており、これらの接続部材３２ｃ及び２２ｄは、その両端部が連結部材３３ａ及び３３ｂにより回動可能にかつ着脱可能に連結されている。
【０１６０】
また、上記第２表示画面機器３０ｃの筐体３１の下辺部には接続部材３２ｄが取り付けられており、また、第３表示画面機器２０ｅの筐体２１の上辺部には接続部材２２ｅが取り付けられており、これらの接続部材３２ｄ及び２２ｅは、その両端部が連結部材３３ｃ及び３３ｄにより回動可能にかつ着脱可能に連結されている。
【０１６１】
そして、この携帯機器１０ｃは、第２表示画面機器３０と第１、第３表示画面機器２０ｄ，２０ｅとが分離されたときも、分離されていないときも、第２表示画面機器３０ｃで生成した画像データを第１、第３表示画面機器２０ｄ、２０ｅに無線回線Ｅ１及びＥ２により無線送信し、第１、弟３表示画面機器２０ｄ、２０ｅで生成された制御信号を第２表示画面機器３０ｃに無線回線Ｅ１及びＥ２により無線送信するようになっている。
【０１６２】
このような構成の実施形態４の携帯機器１０ｃでは、第１、第３表示画面機器２０ｄ、２０ｅは、実施形態１の携帯機器１０の第１表示画面機器２０と全く同一の動作を行う。
【０１６３】
また、携帯機器１０ｃでは、第２表示画面機器３０ｃは、実施形態１の第２表示画面機器３０とは異なり、２つの補助表示画面機器に対して分離側識別画像データを送る。つまり、第２表示画面機器３０ｃでは、画像制御部３１５が第１から第３の画像系列の画像を生成し、第１及び第３の画像系列の画像Ａ１及びＡ２にそれぞれ識別子（ＩＤ）を関連付けて２つの分離側識別画像データ３０５２ｄ及び３０５２ｅを無線画像送信部３１２に送り、無線画像送信部３１２は、これらを無線信号に変換して第１及び第３表示画面機器２０ｄ及び２０ｅの無線画像受信部２０２ｄ及び２０２ｅに送る。
【０１６４】
また、この第２表示画面機器３０ｃでは、無線データ受信部３１４は、実施形態１の無線データ受信部３０４とは異なる動作を行う。つまり、無線データ受信部３１４は、第１及び第３表示画面機器２０ｄ及び２０ｅからの分離側識別制御データ２０４１ｄ及び２０４１ｅを受信してそれぞれを比較部３１７に供給する。
【０１６５】
そして、第２表示画面機器３０ｃでは、比較部３１７は、上述したように、分離側識別制御データ２０４１ｄ、２０４１ｅ、及び本体側識別制御データ３０６１の間で、識別子（ＩＤ）の数値が同一の制御Ａ１信号、制御Ａ２信号、制御Ｂ信号を結合して同期制御データ（制御Ａ１，Ａ２＆Ｂ信号）３０７１ｃとして画像制御部３１５に供給する。これにより、画像制御部３１５での第１〜第３の画像系列の画像の形成に、第１〜第３表示画面機器２０ｄ、３０ｃ、２０ｅでのボタン操作が公平に反映されることとなる。
【０１６６】
なお、この実施形態４の携帯機器１０ｃにおける制御Ｃ１信号２０２３ｄ及び制御Ｃ２信号２０２３ｅは、実施形態１の携帯機器１０における制御Ｃ信号２０２３と同一の役割を果たすものである。
【０１６７】
このような構成の実施形態４の携帯機器１０ｃでは、多画面化（３画面化）された携帯機器を用いて１人で複数の画面を見ながらゲームを楽しむことができるだけでなく、この携帯機器を、設けられている画面の個数分（３個分）に分離することで、分離した画面の数と同じ人数（３人）で独立してゲームを操作することが可能となり、しかも、各画面を見て操作する複数の操作者の間で操作タイミングの不公平が生ずるのを解消することができる。
【０１６８】
なお、上記実施形態４では、２つの補助表示画面機器（第１表示画面機器及び第３表示画面機器）の一方のみが主表示画面機器（第２表示画面機器）から分離されている場合は、分離されている一方の補助表示画面機器と主表示画面機器との間では、実施形態１の携帯機器で補助表示画面機器と主表示画面機器とが分離されている場合と同様な動作が行われ、また、接続されている他方の補助表示画面機器と主表示画面機器との間では、実施形態２あるいは実施形態３の携帯機器の、接続されている補助表示画面機器と主表示画面機器との間での動作と同様の動作が行われる。
【０１６９】
また、実施形態２〜実施形態４では、無線障害などで主表示画面機器と補助表示画面機器との間での無線通信が不通になった場合に対応可能な構成については説明していないが、これらの実施形態２〜実施形態４においても、実施形態１の変形例１〜変形例５で説明した無線障害などに対して対応可能な構成を、実施形態１と同様に適用できることは言うまでもない。
【０１７０】
さらに、上記実施形態及びその変形例では、本体側操作部（ボタンＢ部）及び分離側操作部（ボタンＡ部、ボタンＡ１部及びボタンＡ２部）が、操作ボタンとして押圧操作により動作する機械式押しボタンを有する携帯機器を示しているが、本体側操作部及び分離側操作部は、操作ボタンが上記実施形態で示した機械式押しボタンに限定されるものではない。
【０１７１】
例えば、上記ボタンＡ部及びボタンＢ部は、その操作ボタンとして、操作者の操作を、例えば静電容量あるいは圧力の変化などにより電気的に検知して動作する電気式タッチパッド、あるいは操作者の操作を、例えば、赤外線ビームの遮断により光学的に検知して動作する光学式タッチボタンを有するものでもよく、さらに、上記操作ボタンは物理的なものに限らず、表示画面に表示した仮想的な操作ボタンでもよい。
【０１７２】
簡単に説明すると、例えば、上記電気式タッチパッドには、操作者が指やタッチペンなどでタッチパッドにタッチするタッチ操作、あるいは操作者が指やタッチペンなどをタッチパッドに近接させる近接操作により、タッチパッドでの静電容量が変化するのを検知して動作する静電容量方式のタッチパッドがあり、また、タッチパッド側にコイル部分を形成しており、磁界を発生する専用ペンでタッチパッドにタッチするときの磁界の変化を検知して動作する電磁誘導方式のタッチパッドや、タッチパッドに指などを置いたときにタッチパッドにかかる圧力を検知して動作する感圧式のタッチパッドなどもある。
【０１７３】
さらに、上記光学式タッチボタンとしては、その配置領域上を横切る赤外線ビームを指などが遮ることにより操作者の操作を検知して動作するものや、その配置領域上に操作者が指などを置いた時の明るさの変化を検知して動作するものがある。
【０１７４】
さらには、上記操作ボタンは、携帯機器の主表示画面機器（第２表示画面機器）や補助表示画面機器（第１、第３表示画面機器）の筐体に設けられた物理的な構造を有するものに限定されない。具体的には、これらの表示画面機器を、その画面表示部に対するタッチ操作が可能となるように構成し、上記操作ボタンはこのような画面表示部に表示された仮想的な操作ボタンであってもよい。
【０１７５】
ここで、画面表示部に対するタッチ操作が可能な構成、つまり表示装置とタッチパネルとを組み合わせたタッチパネル表示装置には、種々のものがあり、例えば、タッチパネルの方式として抵抗膜方式、静電容量方式、光学方式、超音波方式、電磁方式などがある。
【０１７６】
これらの方式は、表示装置としての液晶パネルなどに、タッチパネルとして機能するフィルム（タッチパネル用フィルム）を貼り付けてタッチパネル表示装置を実現したものであるが、タッチパネル表示装置には、その他に、液晶パネルなどに光センサ（フォトダイオードなどの受光素子）を埋め込んでなる光センサ内蔵タッチパネル液晶表示装置もある。これは、液晶パネルの表面にタッチパネル用フィルムを貼り付けたものではなく、１枚の薄型パネルで表示動作と位置検出のためのスキャン動作とが行えるものである。
【０１７７】
さらに、仮想的な操作ボタンを用いるボタン部は、表示画面機器の画面表示部をタッチ操作可能な構成として実現したものに限定されず、表示画面機器の、画面表示部以外の筐体部分に上記のようなタッチパネル表示装置を組み込んで実現したものでもよい。
【０１７８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１７９】
本発明は、携帯機器、携帯機器の制御方法、制御プログラム、及びプログラム記録媒体の分野において、表示画面の多画面化により１人の操作者が使用する場合の利便性を高めることができ、しかも、複数の操作者の各々が自分専用の表示画面で共通のあるいは関連する表示内容を見ながら、その表示内容に対する操作を、自分専用の操作部により独立して行うことができる携帯機器、この携帯機器における複数の表示画面部での画像表示を制御する携帯機器の制御方法、この携帯機器の制御方法をコンピュータにより実行するための制御プログラム、この制御プログラムを記録したコンピュータ読み取り可能な記録媒体を実現することができる。
【符号の説明】
【０１８０】
１０、１０ａ〜１０ｃ  携帯機器
２０、２０ａ、２０ｂ、２０ｄ、２０ｅ  第１表示画面機器（補助表示画面機器）
２１、３１  筐体
２２、２２ｄ、２２ｅ、３２、３２ｃ、３２ｄ  接続部材
３０、３０ａ〜３０ｃ  第２表示画面機器（主表示画面機器）
３３ａ〜３３ｄ  連結部材
２０１  画面表示Ａ部（分離側画像表示部）
２０１ｄ  画面表示Ａ１部（分離側画像表示部）
２０１ｅ  画面表示Ａ２部（分離側画像表示部）
２０２、２０２ｄ、２０２ｅ  無線画像受信部
２０２１、２０５１、３０５４  画像データ（画像Ａ）
２０２１ｄ  画像データ（画像Ａ１）
２０２１ｅ  画像データ（画像Ａ２）
２０２２、２０２２ｄ、２０２２ｅ、３０５３  識別子（ＩＤ）
２０２３  制御Ｃ信号
２０２３ｄ  制御Ｃ１信号
２０２３ｅ  制御Ｃ２信号
２０３、２３０ｄ、２０３ｅ  ボタンＡ部（分離側操作部）
２０３１、２０３１ｄ、２０３１ｅ  制御Ａ信号
２０４、２０４ｄ、２０４ｅ  無線データ送信部（分離側関連付部）
２０４１  分離側識別制御データ（ＩＤ''＆制御Ａ''信号）
２０４１ｄ  分離側識別制御データ（ＩＤ''＆制御Ａ１''信号）
２０４１ｅ  分離側識別制御データ（ＩＤ''＆制御Ａ２''信号）
２０５  セレクタ部
２１０、２１０ｄ、２１０ｅ、３１０  記憶部
２１３、２１３ｄ、２１３ｅ、３１３、３１３ｃ  操作ボタン
２２０、２２０ａ、２２０ｂ、２２０ｄ、２２０ｅ、３２０、３２０ａ、３２０ｂ、３２０ｃ  ＣＰＵ
３０１、３０１ｃ  画面表示Ｂ部（本体側画像表示部）
３０２、３１２  無線画像送信部
３０２１  分離側識別画像データ（画像Ａ'＆ＩＤ'）
３０２１ｄ  分離側識別画像データ（画像Ａ１'＆ＩＤ'）
３０２１ｅ  分離側識別画像データ（画像Ａ２'＆ＩＤ'）
３０３、３０３ｃ  ボタンＢ部（本体側操作部）
３０３１  制御Ｂ信号
３０４、３１４    無線データ受信部
３０４１  分離側識別制御データ（ＩＤ，制御Ａ信号）
３０４１ｄ  分離側識別制御データ（ＩＤ，制御Ａ１信号）
３０４１ｅ  分離側識別制御データ（ＩＤ，制御Ａ２信号）
３０４２、３０４２ｄ、３０４２ｅ  確認信号（ＡＣＫ）
３０５、３１５    画像制御部（画像生成部）
３０５１  画像データ（画像Ｂ）
３０５２  分離側識別画像データ（画像Ａ＆ＩＤ）
３０５２ｄ  分離側識別画像データ（画像Ａ１＆ＩＤ）
３０５２ｅ  分離側識別画像データ（画像Ａ２＆ＩＤ）
３０６  バッファ部（本体側関連付部）
３０６１  本体側識別制御データ（ＩＤ＆制御Ｂ信号）
３０７、３０７ｂ、３１７  比較部
３０７１  同期制御データ（制御Ａ＆Ｂ信号）
３０７１ｃ  同期制御データ（制御Ａ１、Ａ２＆Ｂ信号）
４００、４００ｄ、４００ｅ  スイッチ部（接続判定部）
４０１  コネクタ部
Ｅ、Ｅ１、Ｅ２  無線回線
【図２】
2014086747.tif 000003
【図３】
2014086747.tif 000004
【図４】
2014086747.tif 000005
【図５】
2014086747.tif 000006
【図７】
2014086747.tif 000007
【図８】
2014086747.tif 000008
【図１】
2014086747.tif 000009
【図６】
2014086747.tif 000010